(57)【要約】【課題】従来技術においては、電池の構成部材の間の接合強度を高めることが望まれる。【解決手段】電池は、第１絶縁体と、第１電極層と、第１対極層と、を備え、前記第１対極層は、前記第１電極層の対極であり、前記第１絶縁体は、第１電解質部分と、第２電解質部分と、第１折曲部分と、を有し、前記第１折曲部分は、前記第１電解質部分と前記第２電解質部分との間に、位置し、前記第１電極層は、前記第１電解質部分に接して、配置され、前記第１対極層は、前記第２電解質部分に接して、配置され、前記第１絶縁体が前記第１折曲部分において折り曲げられていることで、前記第１電極層と前記第１対極層とは、互いに対向して、位置する。【選択図】図１
2019021621.tif 000002
【特許請求の範囲】
【請求項１】
第１絶縁体と、第１電極層と、第１対極層と、を備え、
前記第１対極層は、前記第１電極層の対極であり、
前記第１絶縁体は、第１電解質部分と、第２電解質部分と、第１折曲部分と、を有し、
前記第１折曲部分は、前記第１電解質部分と前記第２電解質部分との間に、位置し、
前記第１電極層は、前記第１電解質部分に接して、配置され、
前記第１対極層は、前記第２電解質部分に接して、配置され、
前記第１絶縁体が前記第１折曲部分において折り曲げられていることで、前記第１電極層と前記第１対極層とは、互いに対向して、位置する、
電池。
【請求項２】
前記第１絶縁体は、第３電解質部分と、第２折曲部分と、を有し、
前記第２折曲部分は、前記第２電解質部分と前記第３電解質部分との間に、位置し、
前記第１絶縁体が前記第２折曲部分において折り曲げられていることで、前記第２電解質部分と前記第３電解質部分とは、互いに対向して、位置する、
請求項１に記載の電池。
【請求項３】
第２電極層と、第２対極層と、をさらに備え、
前記第２対極層は、前記第１電極層および前記第２電極層の対極であり、
前記第２電極層は、前記第２電解質部分に接して、配置され、
前記第２対極層は、前記第３電解質部分に接して、配置され、
前記第１絶縁体が前記第２折曲部分において折り曲げられていることで、前記第２電極層と前記第２対極層とは、互いに対向して、位置する、
請求項２に記載の電池。
【請求項４】
第１集電体と、第２集電体と、をさらに備え、
前記第１集電体は、前記第１電極層と前記第１対極層との間に、前記第１電極層と前記第１対極層とに接して、配置され、
前記第２集電体は、前記第２電極層と前記第２対極層との間に、前記第２電極層と前記第２対極層とに接して、配置される、
請求項３に記載の電池。
【請求項５】
第３電極層と、第３対極層と、をさらに備え、
前記第３対極層は、前記第１電極層および前記第２電極層および前記第３電極層の対極であり、
前記第１絶縁体は、第４電解質部分と、第３折曲部分と、を有し、
前記第３折曲部分は、前記第３電解質部分と前記第４電解質部分との間に、位置し、
前記第３電極層は、前記第３電解質部分に接して、配置され、
前記第３対極層は、前記第４電解質部分に接して、配置され、
前記第１絶縁体が前記第３折曲部分において折り曲げられていることで、前記第３電極層と前記第３対極層とは、互いに対向して、位置する、
請求項３に記載の電池。
【請求項６】
第１集電体と、第２集電体と、第３集電体と、をさらに備え、
前記第１集電体は、前記第１電極層と前記第１対極層との間に、前記第１電極層と前記第１対極層とに接して、配置され、
前記第２集電体は、前記第２電極層と前記第２対極層との間に、前記第２電極層と前記第２対極層とに接して、配置され、
前記第３集電体は、前記第３電極層と前記第３対極層との間に、前記第３電極層と前記第３対極層とに接して、配置される、
請求項５に記載の電池。
【請求項７】
前記第１折曲部分は、前記第２電解質部分よりも前記第２電極層が配置される側に張り出す第１張出部分を有し、
前記第２折曲部分は、前記第２電解質部分よりも前記第１対極層が配置される側に張り出すか、または、前記第３電解質部分よりも前記第３電極層が配置される側に張り出す第２張出部分を有し、
前記第３折曲部分は、前記第３電解質部分よりも前記第２対極層が配置される側に張り出す第３張出部分を有する、
請求項５または６に記載の電池。
【請求項８】
前記第１折曲部分と前記第３折曲部分とは、互いに、接触する、
請求項５から７のいずれかに記載の電池。
【請求項９】
第２絶縁体と、第２電極層と、第４電極層と、第４対極層と、第５対極層と、をさらに備え、
前記第４対極層と前記第５対極層とは、前記第１電極層および前記第４電極層の対極であり、
前記第２絶縁体は、第５電解質部分と、第６電解質部分と、第４折曲部分と、を有し、
前記第４折曲部分は、前記第５電解質部分と前記第６電解質部分との間に、位置し、
前記第２電極層は、前記第２電解質部分に接して、配置され、
前記第５対極層は、前記第６電解質部分に接して、配置され、
前記第５電解質部分は、前記第１電解質部分と前記第２電解質部分との間に、配置され、
前記第４電極層は、前記第５電解質部分に接して、前記第１対極層と対向する位置に、配置され、
前記第４対極層は、前記第５電解質部分に接して、前記第１電極層と対向する位置に、配置され、
前記第２絶縁体が前記第４折曲部分において折り曲げられていることで、前記第２電極層と前記第５対極層とは、互いに対向して、位置する、
請求項１に記載の電池。
【請求項１０】
第５電極層と、第２対極層と、をさらに備え、
前記第２対極層は、前記第１電極層および前記第２電極層および前記第４電極層および前記第５電極層の対極であり、
前記第１絶縁体は、第２折曲部分と、第３電解質部分と、を有し、
前記第２折曲部分は、前記第２電解質部分と前記第３電解質部分との間に、位置し、
前記第５電極層は、前記第６電解質部分に接して、配置され、
前記第２対極層は、前記第３電解質部分に接して、配置され、
前記第１絶縁体が前記第２折曲部分において折り曲げられていることで、前記第５電極層と前記第２対極層とは、互いに対向して、位置する、
請求項９に記載の電池。
【請求項１１】
第３電極層と、第６対極層と、をさらに備え、
前記第６対極層は、前記第１電極層および前記第２電極層および前記第３電極層および前記第４電極層および前記第５電極層の対極であり、
前記第２絶縁体は、第７電解質部分と、第５折曲部分と、を有し、
前記第５折曲部分は、前記第６電解質部分と前記第７電解質部分との間に、位置し、
前記第３電極層は、前記第３電解質部分に接して、配置され、
前記第６対極層は、前記第７電解質部分に接して、配置され、
前記第２絶縁体が前記第５折曲部分において折り曲げられていることで、前記第３電極層と前記第６対極層とは、互いに対向して、位置する、
請求項１０に記載の電池。
【請求項１２】
第６電極層と、第３対極層と、をさらに備え、
前記第３対極層は、前記第１電極層および前記第２電極層および前記第３電極層および前記第４電極層および前記第５電極層および前記第６電極層の対極であり、
前記第１絶縁体は、第３折曲部分と、第４電解質部分と、を有し、
前記第３折曲部分は、前記第３電解質部分と前記第４電解質部分との間に、位置し、
前記第６電極層は、前記第７電解質部分に接して、配置され、
前記第３対極層は、前記第４電解質部分に接して、配置され、
前記第１絶縁体が前記第３折曲部分において折り曲げられていることで、前記第６電極層と前記第３対極層とは、互いに対向して、位置する、
請求項１１に記載の電池。
【請求項１３】
前記第４折曲部分は、前記第５電解質部分よりも前記第４対極層が配置される側に張り出すか、または、前記第６電解質部分よりも前記第５電極層が配置される側に張り出す第４張出部分を有し、
前記第５折曲部分は、前記第６電解質部分よりも前記第５対極層が配置される側に張り出すか、または、前記第７電解質部分よりも前記第６電極層が配置される側に張り出す第５張出部分を有する、
請求項１２に記載の電池。
【請求項１４】
前記第２絶縁体は、前記第７電解質部分と連結される第６折曲部分を有し、
前記第４折曲部分と前記第６折曲部分とは、互いに、接触する、
請求項１２または１３に記載の電池。
【請求項１５】
第１集電体と、第２集電体と、第３集電体と、第４集電体と、第５集電体と、第６集電体と、をさらに備え、
前記第１集電体は、前記第１電極層と前記第４対極層との間に、前記第１電極層と前記第４対極層とに接して、配置され、
前記第２集電体は、前記第４電極層と前記第１対極層との間に、前記第４電極層と前記第１対極層とに接して、配置され、
前記第３集電体は、前記第２電極層と前記第５対極層との間に、前記第２電極層と前記第５対極層とに接して、配置され、
前記第４集電体は、前記第５電極層と前記第２対極層との間に、前記第５電極層と前記第２対極層とに接して、配置され、
前記第５集電体は、前記第３電極層と前記第６対極層との間に、前記第３電極層と前記第６対極層とに接して、配置され、
前記第６集電体は、前記第６電極層と前記第３対極層との間に、前記第６電極層と前記第３対極層とに接して、配置される、
請求項１２から１４のいずれかに記載の電池。
【請求項１６】
第２電極層をさらに備え、
前記第２電解質部分は、第１表面領域と、第１裏面領域と、を有し、
前記第１裏面領域は、前記第１表面領域の裏面に位置する領域であり、
前記第１対極層は、前記第１表面領域に接して、配置され、
前記第３電解質部分は、第２表面領域と、第２裏面領域と、を有し、
前記第２裏面領域は、前記第２表面領域の裏面に位置する領域であり、
前記第２電極層は、前記第２表面領域に接して、配置され、
前記第１絶縁体が前記第２折曲部分において折り曲げられていることで、前記第１裏面領域と前記第２裏面領域とは、互いに対向して、位置し、
前記第１裏面領域と前記第２裏面領域とは、互いに、接触する、
請求項２に記載の電池。
【請求項１７】
第２対極層をさらに備え、
前記第２対極層は、前記第１電極層および前記第２電極層の対極であり、
前記第１絶縁体は、第４電解質部分と、第３折曲部分と、を有し、
前記第３折曲部分は、前記第３電解質部分と前記第４電解質部分との間に、位置し、
前記第２対極層は、前記第４電解質部分に接して、配置され、
前記第１絶縁体が前記第３折曲部分において折り曲げられていることで、前記第２電極層と前記第２対極層とは、互いに対向して、位置する、
請求項１６に記載の電池。
【請求項１８】
第１集電体と、第２集電体と、をさらに備え、
前記第１集電体は、前記第１電極層と前記第１対極層との間に、前記第１電極層と前記第１対極層とに接して、配置され、
前記第２集電体は、前記第２電極層と前記第２対極層との間に、前記第２電極層と前記第２対極層とに接して、配置される、
請求項１７に記載の電池。
【請求項１９】
第３電極層と、第３対極層と、をさらに備え、
前記第３対極層は、前記第１電極層および前記第２電極層および前記第３電極層の対極であり、
前記第１絶縁体は、第５電解質部分と、第６電解質部分と、第４折曲部分と、第５折曲部分と、を有し、
前記第４折曲部分は、前記第４電解質部分と前記第５電解質部分との間に、位置し、
前記第５折曲部分は、前記第５電解質部分と前記第６電解質部分との間に、位置し、
前記第４電解質部分は、第３表面領域と、第３裏面領域と、を有し、
前記第３裏面領域は、前記第３表面領域の裏面に位置する領域であり、
前記第２対極層は、前記第３表面領域に接して、配置され、
前記第５電解質部分は、第４表面領域と、第４裏面領域と、を有し、
前記第４裏面領域は、前記第４表面領域の裏面に位置する領域であり、
前記第１絶縁体が前記第４折曲部分において折り曲げられていることで、前記第３裏面領域と前記第４裏面領域とは、互いに対向して、位置し、
前記第３裏面領域と前記第４裏面領域とは、互いに、接触し、
前記第３電極層は、前記第４表面領域に接して、配置され、
前記第３対極層は、前記第６電解質部分に接して、配置され、
前記第１絶縁体が前記第５折曲部分において折り曲げられていることで、前記第３電極層と前記第３対極層とは、互いに対向して、位置する、
請求項１７に記載の電池。
【請求項２０】
第１集電体と、第２集電体と、第３集電体と、をさらに備え、
前記第１集電体は、前記第１電極層と前記第１対極層との間に、前記第１電極層と前記第１対極層とに接して、配置され、
前記第２集電体は、前記第２電極層と前記第２対極層との間に、前記第２電極層と前記第２対極層とに接して、配置され、
前記第３集電体は、前記第３電極層と前記第３対極層との間に、前記第３電極層と前記第３対極層とに接して、配置される、
請求項１９に記載の電池。
【請求項２１】
第２絶縁体と、第２対極層と、第３電極層と、第３対極層と、をさらに備え、
前記第２対極層と前記第３対極層は、前記第１電極層および前記第２電極層および前記第３電極層の対極であり、
前記第２絶縁体は、第４電解質部分と、第５電解質部分と、第６電解質部分と、第３折曲部分と、第４折曲部分と、を有し、
前記第３折曲部分は、前記第４電解質部分と前記第５電解質部分との間に、位置し、
前記第４折曲部分は、前記第５電解質部分と前記第６電解質部分との間に、位置し、
前記第４電解質部分は、第３表面領域と、第３裏面領域と、を有し、
前記第３裏面領域は、前記第３表面領域の裏面に位置する領域であり、
前記第５電解質部分は、第４表面領域と、第４裏面領域と、を有し、
前記第４裏面領域は、前記第４表面領域の裏面に位置する領域であり、
前記第２絶縁体が前記第３折曲部分において折り曲げられていることで、前記第３裏面領域と前記第４裏面領域とは、互いに、対向して位置し、
前記第４電解質部分と前記第５電解質部分とは、前記第１電解質部分と前記第２電解質部分との間に、配置され、
前記第２対極層は、前記第３表面領域に接して、前記第１電極層と対向する位置に、配置され、
前記第３電極層は、前記第４表面領域に接して、前記第１対極層と対向する位置に、配置され、
前記第３対極層は、前記第６電解質部分に接して、配置され、
前記第２絶縁体が前記第４折曲部分において折り曲げられていることで、前記第２電極層と前記第３対極層とは、互いに対向して、位置する、
請求項１８に記載の電池。
【請求項２２】
第１集電体と、第２集電体と、第３集電体と、をさらに備え、
前記第１集電体は、前記第１電極層と前記第２対極層の間に、前記第１電極層と前記第２対極層とに接して、配置され、
前記第２集電体は、前記第３電極層と前記第１対極層の間に、前記第３電極層と前記第１対極層とに接して、配置され、
前記第３集電体は、前記第２電極層と前記第３対極層の間に、前記第２電極層と前記第３対極層とに接して、配置される、
請求項２１に記載の電池。
【請求項２３】
第３絶縁体と、第４電極層と、第４対極層と、第５電極層と、第５対極層と、を備え、
前記第４対極層と前記第５対極層は、前記第１電極層および前記第２電極層および前記第３電極層および前記第４電極層および前記第５電極層の対極であり、
前記第３絶縁体は、第７電解質部分と、第８電解質部分と、第９電解質部分と、第５折曲部分と、第６折曲部分と、を有し、
前記第５折曲部分は、前記第７電解質部分と前記第８電解質部分との間に、位置し、
前記第６折曲部分は、前記第８電解質部分と前記第９電解質部分との間に、位置し、
前記第７電解質部分は、第５表面領域と、第５裏面領域と、を有し、
前記第５裏面領域は、前記第５表面領域の裏面に位置する領域であり、
前記第８電解質部分は、第６表面領域と、第６裏面領域と、を有し、
前記第６裏面領域は、前記第６表面領域の裏面に位置する領域であり、
前記第３絶縁体が前記第５折曲部分において折り曲げられていることで、前記第５裏面領域と前記第６裏面領域とは、互いに、対向して位置し、
前記第７電解質部分と前記第８電解質部分とは、前記第５電解質部分と前記第２電解質部分との間に、配置され、
前記第４電極層は、前記第６電解質部分に接して、配置され、
前記第４対極層は、前記第５表面領域に接して、前記第３電極層と対向する位置に、配置され、
前記第５電極層は、前記第６表面領域に接して、前記第１対極層と対向する位置に、配置され、
前記第５対極層は、前記第９電解質部分に接して、配置され、
前記第３絶縁体が前記第６折曲部分において折り曲げられていることで、前記第４電極層と前記第５対極層とは、互いに対向して、位置する、
請求項２１に記載の電池。
【請求項２４】
第１集電体と、第２集電体と、第３集電体と、第４集電体と、第５集電体と、をさらに備え、
前記第１集電体は、前記第１電極層と前記第２対極層の間に、前記第１電極層と前記第２対極層とに接して、配置され、
前記第２集電体は、前記第３電極層と前記第４対極層の間に、前記第３電極層と前記第４対極層とに接して、配置され、
前記第３集電体は、前記第５電極層と前記第１対極層の間に、前記第５電極層と前記第１対極層とに接して、配置され、
前記第４集電体は、前記第２電極層と前記第３対極層の間に、前記第２電極層と前記第３対極層とに接して、配置され、
前記第５集電体は、前記第４電極層と前記第５対極層の間に、前記第４電極層と前記第５対極層とに接して、配置される、
請求項２３に記載の電池。
【請求項２５】
第４絶縁体と、第６電極層と、第６対極層と、第７電極層と、第７対極層と、を備え、
前記第６対極層と前記第７対極層は、前記第１電極層および前記第２電極層および前記第３電極層および前記第４電極層および前記第５電極層および前記第６電極層および前記第７電極層の対極であり、
前記第４絶縁体は、第１０電解質部分と、第１１電解質部分と、第１２電解質部分と、第７折曲部分と、第８折曲部分と、を有し、
前記第７折曲部分は、前記第１０電解質部分と前記第１１電解質部分との間に、位置し、
前記第８折曲部分は、前記第１１電解質部分と前記第１２電解質部分との間に、位置し、
前記第１０電解質部分は、第７表面領域と、第７裏面領域と、を有し、
前記第７裏面領域は、前記第７表面領域の裏面に位置する領域であり、
前記第１１電解質部分は、第８表面領域と、第８裏面領域と、を有し、
前記第８裏面領域は、前記第８表面領域の裏面に位置する領域であり、
前記第４絶縁体が前記第７折曲部分において折り曲げられていることで、前記第７裏面領域と前記第８裏面領域とは、互いに、対向して位置し、
前記第１０電解質部分と前記第１１電解質部分とは、前記第８電解質部分と前記第２電解質部分との間に、配置され、
前記第６電極層は、前記第９電解質部分に接して、配置され、
前記第６対極層は、前記第７表面領域に接して、前記第５電極層と対向する位置に、配置され、
前記第７電極層は、前記第８表面領域に接して、前記第１対極層と対向する位置に、配置され、
前記第７対極層は、前記第１２電解質部分に接して、配置され、
前記第４絶縁体が前記第８折曲部分において折り曲げられていることで、前記第６電極層と前記第７対極層とは、互いに対向して、位置する、
請求項２３に記載の電池。
【請求項２６】
第１集電体と、第２集電体と、第３集電体と、第４集電体と、第５集電体と、第６集電体と、第７集電体と、をさらに備え、
前記第１集電体は、前記第１電極層と前記第２対極層の間に、前記第１電極層と前記第２対極層とに接して、配置され、
前記第２集電体は、前記第３電極層と前記第４対極層の間に、前記第３電極層と前記第４対極層とに接して、配置され、
前記第３集電体は、前記第５電極層と前記第６対極層の間に、前記第５電極層と前記第６対極層とに接して、配置され、
前記第４集電体は、前記第７電極層と前記第１対極層の間に、前記第７電極層と前記第１対極層とに接して、配置され、
前記第５集電体は、前記第２電極層と前記第３対極層の間に、前記第２電極層と前記第３対極層とに接して、配置され、
前記第６集電体は、前記第４電極層と前記第５対極層の間に、前記第４電極層と前記第５対極層とに接して、配置され、
前記第７集電体は、前記第６電極層と前記第７対極層の間に、前記第６電極層と前記第７対極層とに接して、配置される、
請求項２５に記載の電池。
【発明の詳細な説明】
【技術分野】
【０００１】
本開示は、電池に関する。
【背景技術】
【０００２】
特許文献１には、帯状正極集電体と帯状負極集電体を交差させて交互に折り込む工程を含む固体組電池の製造方法が、開示されている。
【０００３】
特許文献２には、負極活物質層と正極活物質層とが電解質部材を介して向き合うように対応位置され、切欠部で折り曲げられている電池素子が、開示されている。
【０００４】
特許文献３には、絶縁部材をつづら折りしてなる全固体電池が、開示されている。
【先行技術文献】
【特許文献】
【０００５】
【特許文献１】特許第５５９９３６６号明細書
【特許文献２】特開２００２−２９８９２０号公報
【特許文献３】特開２０１４−１３０７５４号公報
【発明の概要】
【発明が解決しようとする課題】
【０００６】
従来技術においては、電池の構成部材の間の接合強度を高めることが望まれる。
【課題を解決するための手段】
【０００７】
本開示の一様態における電池は、第１絶縁体と、第１電極層と、第１対極層と、を備え、前記第１対極層は、前記第１電極層の対極であり、前記第１絶縁体は、第１電解質部分と、第２電解質部分と、第１折曲部分と、を有し、前記第１折曲部分は、前記第１電解質部分と前記第２電解質部分との間に、位置し、前記第１電極層は、前記第１電解質部分に接して、配置され、前記第１対極層は、前記第２電解質部分に接して、配置され、前記第１絶縁体が前記第１折曲部分において折り曲げられていることで、前記第１電極層と前記第１対極層とは、互いに対向して、位置する。
【発明の効果】
【０００８】
本開示によれば、電池の構成部材の間の接合強度を高めることができる。
【図面の簡単な説明】
【０００９】
【図１】図１は、実施の形態１における電池１０００の概略構成を示す斜視図である。
【図２】図２は、実施の形態１における電池１０００の概略構成を示す図である。
【図３】図３は、第１絶縁体１１０の一例の概略構成を示す図である。
【図４】図４は、第１絶縁体１１０の一例の概略構成を示す図である。
【図５】図５は、実施の形態１における電池１１００の概略構成を示す斜視図である。
【図６】図６は、実施の形態１における電池１１００の概略構成を示すｘ−ｚ図（断面図）である。
【図７】図７は、実施の形態１における電池１２００の概略構成を示す斜視図である。
【図８】図８は、実施の形態１における電池１２００の概略構成を示すｘ−ｚ図（断面図）である。
【図９】図９は、実施の形態１における電池１３００の概略構成を示すｘ−ｚ図（断面図）である。
【図１０】図１０は、実施の形態１における電池１４００の概略構成を示すｘ−ｚ図（断面図）である。
【図１１】図１１は、実施の形態１における電池１５００の概略構成を示すｘ−ｚ図（断面図）である。
【図１２】図１２は、実施の形態２における電池２０００の概略構成を示す斜視図である。
【図１３】図１３は、実施の形態２における電池２０００の概略構成を示すｘ−ｚ図（１２Ａ断面図）である。
【図１４】図１４は、実施の形態２における電池２０００の概略構成を示すｙ−ｚ図（１２Ｂ断面図）である。
【図１５】図１５は、実施の形態２における電池２１００の概略構成を示す斜視図である。
【図１６】図１６は、実施の形態２における電池２１００の概略構成を示すｘ−ｚ図（１５Ａ断面図）である。
【図１７】図１７は、実施の形態２における電池２１００の概略構成を示すｙ−ｚ図（１５Ｂ断面図）である。
【図１８】図１８は、実施の形態２における電池２２００の概略構成を示す斜視図である。
【図１９】図１９は、実施の形態２における電池２２００の概略構成を示すｘ−ｚ図（１８Ａ断面図）である。
【図２０】図２０は、実施の形態２における電池２２００の概略構成を示すｙ−ｚ図（１８Ｂ断面図）である。
【図２１】図２１は、実施の形態２における電池２３００の概略構成を示す斜視図である。
【図２２】図２２は、実施の形態２における電池２３００の概略構成を示すｘ−ｚ図（２１Ａ断面図）である。
【図２３】図２３は、実施の形態２における電池２３００の概略構成を示すｙ−ｚ図（２１Ｂ断面図）である。
【図２４】図２４は、実施の形態２における電池２４００の概略構成を示すｙ−ｚ図（断面図）である。
【図２５】図２５は、実施の形態２における電池２５００の概略構成を示すｙ−ｚ図（断面図）である。
【図２６】図２６は、実施の形態２における電池２６００の概略構成を示すｙ−ｚ図（断面図）である。
【図２７】図２７は、実施の形態２における電池２４１０の概略構成を示すｙ−ｚ図（断面図）である。
【図２８】図２８は、実施の形態２における電池２５１０の概略構成を示すｙ−ｚ図（断面図）である。
【図２９】図２９は、実施の形態２における電池２６１０の概略構成を示すｙ−ｚ図（断面図）である。
【図３０】図３０は、実施の形態３における電池３０００の概略構成を示す図である。
【図３１】図３１は、実施の形態３における電池３１００の概略構成を示すｘ−ｚ図（断面図）である。
【図３２】図３２は、実施の形態３における電池３２００の概略構成を示す断面図である。
【図３３】図３３は、実施の形態３における電池３３００の概略構成を示す断面図である。
【図３４】図３４は、実施の形態４における電池４０００の概略構成を示す斜視図である。
【図３５】図３５は、実施の形態４における電池４０００の概略構成を示すｘ−ｚ図（３４Ａ断面図）である。
【図３６】図３６は、実施の形態４における電池４０００の概略構成を示すｙ−ｚ図（３４Ｂ断面図）である。
【図３７】図３７は、実施の形態４における電池４１００の概略構成を示す斜視図である。
【図３８】図３８は、実施の形態４における電池４１００の概略構成を示すｘ−ｚ図（３７Ａ断面図）である。
【図３９】図３９は、実施の形態４における電池４１００の概略構成を示すｙ−ｚ図（３７Ｂ断面図）である。
【図４０】図４０は、実施の形態４における電池４２００の概略構成を示す斜視図である。
【図４１】図４１は、実施の形態４における電池４２００の概略構成を示すｘ−ｚ図（４０Ａ断面図）である。
【図４２】図４２は、実施の形態４における電池４２００の概略構成を示すｙ−ｚ図（４０Ｂ断面図）である。
【図４３】図４３は、実施の形態５における電池製造装置５０００の概略構成を示す図である。
【図４４】図４４は、実施の形態５における電池製造方法の一例を示すフローチャートである。
【図４５】図４５は、実施の形態５における第１絶縁体１１０の一例の概略構成を示す図である。
【図４６】図４６は、集電体形成工程Ｓ１２００と折曲領域折曲工程Ｓ１３００の一例を示す図である。
【図４７】図４７は、実施の形態５における第１絶縁体１１０の一例の概略構成を示す図である。
【図４８】図４８は、集電体形成工程Ｓ１２００と折曲領域折曲工程Ｓ１３００の一例を示す図である。
【図４９】図４９は、実施の形態５における電池製造装置５１００の概略構成を示す図である。
【図５０】図５０は、実施の形態５における電池製造方法の一例を示すフローチャートである。
【図５１】図５１は、積層工程Ｓ２０００と折曲領域折曲工程Ｓ１３００の一例を示すｘ−ｙ図（上面図）である。
【図５２】図５２は、第１絶縁体１１０と第２絶縁体１２０の積層の一例を示すｘ−ｙ図（上面図）である。
【図５３】図５３は、実施の形態５における電池製造方法の一例を示すフローチャートである。
【図５４】図５４は、実施の形態５における電池製造方法の一例を示すフローチャートである。
【図５５】図５５は、積層工程Ｓ２０００の一例を示す図である。
【図５６】図５６は、実施の形態５における電池製造装置５２００の概略構成を示す図である。
【図５７】図５７は、折曲部分の収縮の一例を示す図である。
【図５８】図５８は、折曲部分の除去の一例を示す図である。
【発明を実施するための形態】
【００１０】
以下、実施の形態が、図面を参照しながら、説明される。
【００１１】
（実施の形態１）
図１は、実施の形態１における電池１０００の概略構成を示す斜視図である。
【００１２】
図２は、実施の形態１における電池１０００の概略構成を示す図である。
【００１３】
図２（ａ）は、実施の形態１における電池１０００の概略構成を示すｘ−ｚ図（２Ａ断面図）である。
【００１４】
図２（ｂ）は、実施の形態１における電池１０００の概略構成を示すｘ−ｙ図（２Ｂ断面図）である。
【００１５】
実施の形態１における電池１０００は、第１絶縁体１１０と、第１電極層５１１と、第１対極層５２１と、を備える。
【００１６】
第１対極層５２１は、第１電極層５１１の対極である。
【００１７】
第１絶縁体１１０は、第１電解質部分３０１と、第２電解質部分３０２と、第１折曲部分２１０と、を有する。
【００１８】
第１折曲部分２１０は、第１電解質部分３０１と第２電解質部分３０２との間に、位置する。
【００１９】
第１電極層５１１は、第１電解質部分３０１に接して、配置される。
【００２０】
第１対極層５２１は、第２電解質部分３０２に接して、配置される。
【００２１】
第１絶縁体１１０が第１折曲部分２１０において折り曲げられている。これにより、第１電極層５１１と第１対極層５２１とは、互いに対向して、位置する。
【００２２】
以上の構成によれば、電池の構成部材の間の接合強度を高めることができる。すなわち、第１折曲部分２１０により互いに連結される第１電解質部分３０１と第２電解質部分３０２とに、それぞれ、第１電極層５１１と第１対極層５２１とを、配置することができる。これにより、第１電解質部分３０１に配置される第１電極層５１１と第２電解質部分３０２に配置される第１対極層５２１との位置関係を、第１折曲部分２１０により（言い換えれば、１つの構成部材である第１絶縁体１１０により）、強固に維持することができる。これにより、例えば、電池製造時または電池使用時における衝撃または振動などによって、電池を構成する各層（または、各素電池）が位置ずれまたは分離することを防止できる。すなわち、電池を構成する各層（例えば、第１電極層５１１と第１対極層５２１）の接合の強度を、第１絶縁体１１０により、高めることができる。これにより、電池の信頼性を向上させることができる。
【００２３】
また、以上の構成によれば、電池の側面のうち、第１折曲部分２１０が位置する側面を、第１折曲部分２１０により、覆うことができる。これにより、電池外部に存在しうる部材（例えば、別の電池、など）と、第１折曲部分２１０が位置する電池の側面とが、互いに接触することを、第１折曲部分２１０により、防ぐことができる。したがって、電池同士の接触による短絡を抑制できる。また、電池と電池外部に存在しうる部材との接触による電池の側面の部分的な破壊を抑制できる。また、電池の側面の一部が第１折曲部分２１０により覆われることで、電池の構成部材（例えば、第１電極層５１１に含まれる電極材料、第１対極層５２１に含まれる対極材料、など）の一部が崩落した場合であっても、第１折曲部分２１０により、当該崩落した構成部材が、電池内部の別の単電池セル部分または電池外部に移動することを抑制できる。したがって、電池の構成部材の崩落による、電池内部の短絡を抑制できる。これらにより、電池の信頼性を、より向上させることができる。
【００２４】
図３は、第１絶縁体１１０の一例の概略構成を示す図である。
【００２５】
図３（ａ）は、第１絶縁体１１０の一例の概略構成を示すｘ−ｚ図（３Ａ断面図）である。
【００２６】
図３（ｂ）は、第１絶縁体１１０の一例の概略構成を示すｘ−ｙ図（上面図）である。
【００２７】
図３に示されるように、第１絶縁体１１０は、例えば、絶縁性の基材（例えば、基板）に、第１電解質部分３０１と第２電解質部分３０２とが設けられることで、構成されてもよい。第１絶縁体１１０は、例えば、長尺のシート状の部材として、構成されてもよい。
【００２８】
なお、第１絶縁体１１０の基材は、例えば、絶縁性材料（例えば、ガラスファイバー、ポリプロピレン、ポリエチレン、ポリテトラフルオロエチレン、紙、など）で形成されたシート（例えば、多孔質シート、不織布、メッシュシート、など）であってもよい。
【００２９】
第１絶縁体１１０の基材の厚みは、１〜１００μｍであってもよく、もしくは、１〜３０μｍであってもよい。
【００３０】
第１電解質部分３０１と第２電解質部分３０２とは、電解質材料が基材に設けられることで、形成される部分である。基材は、例えば、複数の細孔を有する多孔質の基材であってもよい。このとき、基材の複数の細孔に電解質材料が含侵されることで、第１電解質部分３０１と第２電解質部分３０２とが形成されてもよい（図中の部分ＳＥ１）。
【００３１】
なお、第１電解質部分３０１と第２電解質部分３０２とを構成する電解質材料としては、一般に公知の電池用の電解質が用いられうる。例えば、電解質材料は、固体電解質であってもよい。固体電解質としては、公知の固体電解質（例えば、無機系固体電解質など）が用いられうる。無機系固体電解質としては、硫化物固体電解質または酸化物固体電解質などが用いられうる。硫化物固体電解質としては、例えば、Ｌｉ２Ｓ：Ｐ２Ｓ５の混合物が用いられうる。なお、第１電解質部分３０１と第２電解質部分３０２とは、電解質材料に加えて、結着用バインダー（例えば、ポリフッ化ビニリデンなど）、など、を含有してもよい。
【００３２】
第１電解質部分３０１と第２電解質部分３０２との厚みは、５〜１５０μｍであってもよく、もしくは、５〜５０μｍであってもよい。
【００３３】
なお、電解質材料は、基材の細孔の内部だけでなく、基材の表面（例えば、基材の表裏２つの主面の表面）にも、設けられてもよい（図中の部分ＳＥ２）。これにより、基材の表面に、電解質材料を露出させることができる。このため、電極層と対極層との間における電解質材料の金属イオン（例えば、リチウムイオン）の伝搬の機能を高めることができる。
【００３４】
なお、第１電解質部分３０１と第２電解質部分３０２とは、互いに、所定の間隔を空けて、島状に配置されてもよい。このとき、第１電解質部分３０１と第２電解質部分３０２との間に位置する基材の部分（電解質材料が配置されない部分）は、第１折曲領域７１０となる。第１折曲部分２１０は、第１折曲領域７１０が折り曲げられることで形成される部分である。
【００３５】
なお、第１電解質部分３０１と第２電解質部分３０２とは、図３に示されるように、基材の端部（第１絶縁体１１０の端部）にまで、設けられてもよい。これにより、より多量の電解質材料を、基材に配置することができる。
【００３６】
図４は、第１絶縁体１１０の一例の概略構成を示す図である。
【００３７】
図４（ａ）は、第１絶縁体１１０の一例の概略構成を示すｘ−ｚ図（４Ａ断面図）である。
【００３８】
図４（ｂ）は、第１絶縁体１１０の一例の概略構成を示すｘ−ｙ図（上面図）である。
【００３９】
第１電解質部分３０１と第２電解質部分３０２とは、図４に示されるように、基材の端部には、設けられなくてもよい。言い換えれば、基材の端部（第１絶縁体１１０の端部）には、電解質材料が設けられない部分（図中の部分ＳＥ３）が、設けられてもよい。
【００４０】
以上の構成によれば、電解質材料が、第１電解質部分３０１または第２電解質部分３０２から、第１絶縁体１１０の端部に加わる応力により脱落または崩落することを、抑制できる。
【００４１】
また、以上の構成によれば、基材の端部（第１絶縁体１１０の端部）に電解質部分が形成されていないことで、電解質材料が設けられない部分が折れ曲がる場合であっても、電解質部分に接して形成される電極層および対極層以外に、電解質材料の金属イオン（例えば、リチウムイオン）が伝搬することを、防ぐことができる。例えば、後述される図５の構成において、第２電解質部分３０２の周囲に電解質材料が設けられない部分が配置される構成であれば、第２電解質部分３０２が第２対極層５２２および第３電解質部分３０３（または、第１電極層５１１および第１電解質部分３０１）に直接接触することを、防ぐことができる。これにより、第２電解質部分３０２における電解質材料の金属イオン（例えば、リチウムイオン）が、第２対極層５２２および第３電解質部分３０３（または、第１電極層５１１および第１電解質部分３０１）に伝搬することを、防ぐことができる。
【００４２】
第１電解質部分３０１と第２電解質部分３０２とは、例えば、電解質材料を溶媒と共に練り込んだペースト状の塗料が基材の上に塗工かつ乾燥されることで、作製されうる。もしくは、第１電解質部分３０１と第２電解質部分３０２とは、粉体状の電解質材料が直接多孔質基材に含侵させられる方法、または、気相法（例えば、蒸着プロセス、スパッタプロセス、など）によっても、作製されうる。
【００４３】
なお、図１および図２に示されるように、実施の形態１における電池１０００は、第１集電体６１０をさらに備えてもよい。
【００４４】
第１集電体６１０は、第１電極層５１１と第１対極層５２１との間に、第１電極層５１１と第１対極層５２１とに接して、配置される。
【００４５】
以上の構成によれば、第１電極層５１１を含む発電要素と、第１対極層５２１を含む発電要素とを、第１集電体６１０を介して、直列接続で積層することができる。
【００４６】
図５は、実施の形態１における電池１１００の概略構成を示す斜視図である。
【００４７】
図６は、実施の形態１における電池１１００の概略構成を示すｘ−ｚ図（断面図）である。
【００４８】
実施の形態１における電池１１００は、上述の実施の形態１における電池１０００の構成に加えて、下記の構成をさらに備える。
【００４９】
すなわち、実施の形態１における電池１１００においては、第１絶縁体１１０は、第３電解質部分３０３と、第２折曲部分２２０と、を有する。
【００５０】
第２折曲部分２２０は、第２電解質部分３０２と第３電解質部分３０３との間に、位置する。
【００５１】
第１絶縁体１１０が第２折曲部分２２０において折り曲げられている。これにより、第２電解質部分３０２と第３電解質部分３０３とは、互いに対向して、位置する。
【００５２】
以上の構成によれば、電池の構成部材の間の接合強度を、より高めることができる。すなわち、第２電解質部分３０２および第３電解質部分３０３（すなわち、第１絶縁体１１０の一部の領域であり、かつ、第２折曲部分２２０により連結している２つの領域）に、それぞれ、対極層と電極層とを、配置することができる。これにより、第２電解質部分３０２および第３電解質部分３０３にそれぞれ配置される対極層と電極層との位置関係を、第２折曲部分２２０により（言い換えれば、１つの構成部材である第１絶縁体１１０により）、強固に維持することができる。したがって、例えば、第１絶縁体１１０を用いて積層型電池が構成される場合には、電池を構成する２つの電池セル（素電池）を、第１絶縁体１１０により、互いに、連結することができる。これにより、例えば、電池製造時または電池使用時における衝撃または振動などによって、電池を構成する各層（または、各素電池）が位置ずれまたは分離することを防止できる。すなわち、電池を構成する各層（または、各素電池）の接合の強度を、第１絶縁体１１０により、高めることができる。これにより、電池の信頼性を向上させることができる。
【００５３】
なお、図５および図６に示されるように、実施の形態１における電池１１００は、第２電極層５１２と、第２対極層５２２と、をさらに備えてもよい。
【００５４】
第２対極層５２２は、第１電極層５１１および第２電極層５１２の対極である。
【００５５】
第２電極層５１２は、第２電解質部分３０２に接して、配置される。
【００５６】
第２対極層５２２は、第３電解質部分３０３に接して、配置される。
【００５７】
第１絶縁体１１０が第２折曲部分２２０において折り曲げられている。これにより、第２電極層５１２と第２対極層５２２とは、互いに対向して、位置する。
【００５８】
以上の構成によれば、電池の構成部材の間の接合強度を、より高めることができる。すなわち、第２折曲部分２２０により互いに連結される第２電解質部分３０２と第３電解質部分３０３とに、それぞれ、第２電極層５１２と第２対極層５２２とを、配置することができる。これにより、第２電解質部分３０２に配置される第２電極層５１２と第３電解質部分３０３に配置される第２対極層５２２との位置関係を、第２折曲部分２２０により（言い換えれば、１つの構成部材である第１絶縁体１１０により）、強固に維持することができる。これにより、例えば、電池製造時または電池使用時における衝撃または振動などによって、電池を構成する各層（例えば、第２電極層５１２と第２対極層５２２）が位置ずれまたは分離することを防止できる。
【００５９】
また、以上の構成によれば、電池の側面のうち、第２折曲部分２２０が位置する側面を、第２折曲部分２２０により、覆うことができる。これにより、電池外部に存在しうる部材（例えば、別の電池、など）と、第２折曲部分２２０が位置する電池の側面とが、互いに接触することを、第２折曲部分２２０により、防ぐことができる。したがって、電池同士の接触による短絡を抑制できる。また、電池と電池外部に存在しうる部材との接触による電池の側面の部分的な破壊を抑制できる。また、電池の側面の一部が第２折曲部分２２０により覆われることで、電池の構成部材（例えば、第２電極層５１２に含まれる電極材料、第２対極層５２２に含まれる対極材料、など）の一部が崩落した場合であっても、第２折曲部分２２０により、当該崩落した構成部材が、電池内部の別の単電池セル部分または電池外部に移動することを抑制できる。したがって、電池の構成部材の崩落による、電池内部の短絡を抑制できる。これらにより、電池の信頼性を、より向上させることができる。
【００６０】
なお、図５および図６に示されるように、実施の形態１における電池１１００は、第２集電体６２０をさらに備えてもよい。
【００６１】
第２集電体６２０は、第２電極層５１２と第２対極層５２２との間に、第２電極層５１２と第２対極層５２２とに接して、配置される。
【００６２】
以上の構成によれば、第２電極層５１２と第１対極層５２１とを含む発電要素（第１発電要素５０１）と、他の発電要素（例えば、第１電極層５１１または第２対極層５２２を備える発電要素）とを、第１集電体６１０と第２集電体６２０とを介して、直列接続で積層することができる。
【００６３】
図７は、実施の形態１における電池１２００の概略構成を示す斜視図である。
【００６４】
図８は、実施の形態１における電池１２００の概略構成を示すｘ−ｚ図（断面図）である。
【００６５】
実施の形態１における電池１２００は、上述の実施の形態１における電池１１００の構成に加えて、下記の構成をさらに備える。
【００６６】
すなわち、実施の形態１における電池１２００は、第３電極層５１３と、第３対極層５２３と、をさらに備える。
【００６７】
第３対極層５２３は、第１電極層５１１および第２電極層５１２および第３電極層５１３の対極である。
【００６８】
第１絶縁体１１０は、第４電解質部分３０４と、第３折曲部分２３０と、を有する。
【００６９】
第３折曲部分２３０は、第３電解質部分３０３と第４電解質部分３０４との間に、位置する。
【００７０】
第３電極層５１３は、第３電解質部分３０３に接して、配置される。
【００７１】
第３対極層５２３は、第４電解質部分３０４に接して、配置される。
【００７２】
第１絶縁体１１０が第３折曲部分２３０において折り曲げられている。これにより、第３電極層５１３と第３対極層５２３とは、互いに対向して、位置する。
【００７３】
以上の構成によれば、電池の構成部材の間の接合強度を、より高めることができる。すなわち、第３折曲部分２３０により互いに連結される第３電解質部分３０３と第４電解質部分３０４とに、それぞれ、第３電極層５１３と第３対極層５２３とを、配置することができる。これにより、第３電解質部分３０３に配置される第３電極層５１３と第４電解質部分３０４に配置される第３対極層５２３との位置関係を、第３折曲部分２３０により（言い換えれば、１つの構成部材である第１絶縁体１１０により）、強固に維持することができる。これにより、例えば、電池製造時または電池使用時における衝撃または振動などによって、電池を構成する各層（例えば、第３電極層５１３と第３対極層５２３）が位置ずれまたは分離することを防止できる。
【００７４】
また、以上の構成によれば、電池の側面のうち、第３折曲部分２３０が位置する側面を、第３折曲部分２３０により、覆うことができる。これにより、電池外部に存在しうる部材（例えば、別の電池、など）と、第３折曲部分２３０が位置する電池の側面とが、互いに接触することを、第３折曲部分２３０により、防ぐことができる。したがって、電池同士の接触による短絡を抑制できる。また、電池と電池外部に存在しうる部材との接触による電池の側面の部分的な破壊を抑制できる。また、電池の側面の一部が第３折曲部分２３０により覆われることで、電池の構成部材（例えば、第３電極層５１３に含まれる電極材料、第３対極層５２３に含まれる対極材料、など）の一部が崩落した場合であっても、第３折曲部分２３０により、当該崩落した構成部材が、電池内部の別の単電池セル部分または電池外部に移動することを抑制できる。したがって、電池の構成部材の崩落による、電池内部の短絡を抑制できる。これらにより、電池の信頼性を、より向上させることができる。
【００７５】
なお、図７および図８に示されるように、実施の形態１における電池１２００は、第３集電体６３０をさらに備えてもよい。
【００７６】
第３集電体６３０は、第３電極層５１３と第３対極層５２３との間に、第３電極層５１３と第３対極層５２３とに接して、配置される。
【００７７】
以上の構成によれば、第１絶縁体１１０を用いて、積層型電池を構成することができる。すなわち、第２電極層５１２と第１対極層５２１とを含む第１発電要素５０１と、第３電極層５１３と第２対極層５２２とを含む第２発電要素５０２とを、第２集電体６２０を介して、直列接続で積層することができる。すなわち、第１発電要素５０１と第２発電要素５０２の各構成部材との位置関係を、第１絶縁体１１０の各折曲部分により強固に維持しながら、第１発電要素５０１と第２発電要素５０２との直列接続により電池電圧を高めることができる。
【００７８】
なお、第３電解質部分３０３と第４電解質部分３０４とは、電解質材料が基材に設けられることで、形成される部分である。第１電解質部分３０１と第２電解質部分３０２と第３電解質部分３０３と第４電解質部分３０４の構成（例えば、厚み、面積、形状、含有材料、など）は、互いに、同じであってもよいし、異なっていてもよい。
【００７９】
なお、第２電解質部分３０２と第３電解質部分３０３とは、互いに、所定の間隔を空けて、島状に配置されてもよい。このとき、第２電解質部分３０２と第３電解質部分３０３との間に位置する基材の部分（電解質材料が配置されない部分）は、第２折曲領域７２０となる。第２折曲部分２２０は、第２折曲領域７２０が折り曲げられることで形成される部分である。
【００８０】
なお、第３電解質部分３０３と第４電解質部分３０４とは、互いに、所定の間隔を空けて、島状に配置されてもよい。このとき、第３電解質部分３０３と第４電解質部分３０４との間に位置する基材の部分（電解質材料が配置されない部分）は、第３折曲領域７３０となる。第３折曲部分２３０は、第３折曲領域７３０が折り曲げられることで形成される部分である。
【００８１】
なお、第１折曲部分２１０と第２折曲部分２２０と第３折曲部分２３０の構成（例えば、厚み、面積、形状、含有材料、など）は、互いに、同じであってもよいし、異なっていてもよい。
【００８２】
第１集電体６１０と第２集電体６２０と第３集電体６３０とは、導電性を有する部材である。第１集電体６１０と第２集電体６２０と第３集電体６３０とは、例えば、導電性を有する薄膜であってもよい。第１集電体６１０と第２集電体６２０と第３集電体６３０とを構成する材料としては、例えば、金属（ＳＵＳ、Ａｌ、Ｃｕ、など）が用いられうる。また、第１集電体６１０と第２集電体６２０と第３集電体６３０とにおいて、電極層が配置される主面の材質は、対極層が配置される主面の材質と、異なってもよい。すなわち、第１集電体６１０と第２集電体６２０と第３集電体６３０としては、多層構造の金属箔が用いられてもよい。これにより、固体電池の信頼性と軽量化とを両立できる。また、電極層または対極層に接する部分に、集電体層（例えば、導電性材料を含む層）を備えてもよい。第１集電体６１０と第２集電体６２０と第３集電体６３０の厚みは、例えば、５〜１００μｍであってもよい。
【００８３】
第１発電要素５０１と第２発電要素５０２とは、例えば、充電および放電の特性を有する発電部（例えば、二次電池）である。例えば、第１発電要素５０１と第２発電要素５０２とは、単電池セルであってもよい。
【００８４】
なお、第２電解質部分３０２と第３電解質部分３０３とは、固体電解質を含んでもよい。すなわち、第１発電要素５０１と第２発電要素５０２とは、全固体電池であってもよい。
【００８５】
第１電極層５１１と第２電極層５１２と第３電極層５１３とは、電極材料（例えば、活物質）を含む層である。
【００８６】
第１対極層５２１と第２対極層５２２と第３対極層５２３とは、対極材料（例えば、活物質）を含む層である。対極材料は、電極材料の対極を構成する材料である。
【００８７】
また、図７および図８に示されるように、第１電極層５１１と第２電極層５１２と第３電極層５１３とは、それぞれ、第１集電体６１０と第２集電体６２０と第３集電体６３０よりも狭い範囲に、形成されてもよい。
【００８８】
また、図７および図８に示されるように、第１対極層５２１と第２対極層５２２と第３対極層５２３とは、それぞれ、第１集電体６１０と第２集電体６２０と第３集電体６３０よりも狭い範囲に、形成されてもよい。
【００８９】
また、図７および図８に示されるように、第１電解質部分３０１と第２電解質部分３０２と第３電解質部分３０３と第４電解質部分３０４とは、それぞれ、第１電極層５１１と第２電極層５１２と第３電極層５１３よりも広い範囲に、かつ、第１対極層５２１と第２対極層５２２と第３対極層５２３よりも広い範囲に、形成されてもよい。これにより、各電極層と各対極層との直接接触による短絡を防止できる。
【００９０】
また、図７および図８に示されるように、第２電解質部分３０２は、第１集電体６１０と第２集電体６２０よりも広い範囲に、配置されてもよい。これにより、第１集電体６１０と第２集電体６２０との短絡を、第２電解質部分３０２により、防止できる。
【００９１】
また、図７および図８に示されるように、第３電解質部分３０３は、第２集電体６２０と第３集電体６３０よりも広い範囲に、配置されてもよい。これにより、第２集電体６２０と第３集電体６３０との短絡を、第３電解質部分３０３により、防止できる。
【００９２】
なお、第２電解質部分３０２と第３電解質部分３０３の形成範囲は、第１集電体６１０と第２集電体６２０と第３集電体６３０と同じ範囲であってもよい。もしくは、第２電解質部分３０２と第３電解質部分３０３の形成範囲は、第１集電体６１０と第２集電体６２０と第３集電体６３０よりも狭い範囲であってもよい。
【００９３】
なお、第１電極層５１１と第２電極層５１２と第３電極層５１３は負極活物質層であってもよい。このとき、電極材料は負極活物質である。第１集電体６１０と第２集電体６２０と第３集電体６３０はバイポーラ集電体（すなわち、正極層に接する主面と、負極層に接する主面と、を有する集電体）である。第１対極層５２１と第２対極層５２２と第３対極層５２３は正極活物質層である。対極材料は正極活物質である。このとき、第１電解質部分３０１（例えば、第１電解質部分３０１の主面のうちの第１電極層５１１が配置されない主面）に接して、正極活物質層が配置されてもよい。さらに、当該正極活物質層に接して、正極集電体が配置されてもよい。また、第４電解質部分３０４（例えば、第４電解質部分３０４の主面のうちの第３対極層５２３が配置されない主面）に接して、負極活物質層が配置されてもよい。さらに、当該負極活物質層に接して、負極集電体が配置されてもよい。
【００９４】
もしくは、第１電極層５１１と第２電極層５１２と第３電極層５１３は正極活物質層であってもよい。このとき、電極材料は正極活物質である。第１集電体６１０と第２集電体６２０と第３集電体６３０はバイポーラ集電体である。第１対極層５２１と第２対極層５２２と第３対極層５２３は負極活物質層である。対極材料は負極活物質である。このとき、第１電解質部分３０１（例えば、第１電解質部分３０１の主面のうちの第１電極層５１１が配置されない主面）に接して、負極活物質層が配置されてもよい。さらに、当該負極活物質層に接して、負極集電体が配置されてもよい。また、第４電解質部分３０４（例えば、第４電解質部分３０４の主面のうちの第３対極層５２３が配置されない主面）に接して、正極活物質層が配置されてもよい。さらに、当該正極活物質層に接して、正極集電体が配置されてもよい。
【００９５】
正極活物質層に含有される正極活物質としては、公知の正極活物質（例えば、コバルト酸リチウム、ＬｉＮＯ、など）が用いられうる。正極活物質の材料としては、ＬｉまたはＭｇなどのイオンを離脱および挿入することができる各種材料が用いられうる。
【００９６】
また、正極活物質層の含有材料としては、公知の固体電解質（例えば、無機系固体電解質など）が用いられうる。無機系固体電解質としては、硫化物固体電解質または酸化物固体電解質などが用いられうる。硫化物固体電解質としては、例えば、Ｌｉ２Ｓ：Ｐ２Ｓ５の混合物が用いられうる。正極活物質の表面は、固体電解質でコートされていてもよい。また、正極活物質層の含有材料としては、導電材（例えば、アセチレンブラックなど）、結着用バインダー（例えば、ポリフッ化ビニリデンなど）、など、が用いられうる。
【００９７】
これら正極活物質層の含有材料を溶媒と共に練り込んだペースト状の塗料を正極集電体面上に塗工乾燥して正極活物質層が作製されうる。正極活物質層の密度を高めるために、乾燥後にプレスしておいてもよい。このようにして作製される正極活物質層の厚みは、例えば、５〜３００μｍである。
【００９８】
正極集電体としては、金属箔（例えば、ＳＵＳ箔、Ａｌ箔）、など、が用いられうる。
【００９９】
負極活物質層に含有される負極活物質としては、公知の負極活物質（例えば、グラファイト、など）が用いられうる。負極活物質の材料としては、ＬｉまたはＭｇなどのイオンを離脱および挿入することができる各種材料が用いられうる。
【０１００】
また、負極活物質層の含有材料としては、公知の固体電解質（例えば、無機系固体電解質など）が用いられうる。無機系固体電解質としては、硫化物固体電解質または酸化物固体電解質などが用いられうる。硫化物固体電解質としては、例えば、Ｌｉ２Ｓ：Ｐ２Ｓ５の混合物が用いられうる。また、負極活物質層の含有材料としては、導電材（例えば、アセチレンブラックなど）、結着用バインダー（例えば、ポリフッ化ビニリデンなど）、など、が用いられうる。
【０１０１】
これら負極活物質層の含有材料を溶媒と共に練り込んだペースト状の塗料を負極集電体上に塗工乾燥して負極活物質層が作製されうる。負極活物質層の密度を高めるために、負極板をプレスしておいてもよい。このようにして作製される負極活物質層の厚みは、例えば、５〜３００μｍである。
【０１０２】
負極集電体としては、金属箔（例えば、ＳＵＳ箔、Ｃｕ箔）、など、が用いられうる。
【０１０３】
正極活物質層と負極活物質層との形成範囲は、同じであってもよい。もしくは、正極活物質層の形成範囲よりも、負極活物質層の形成範囲を、大きくしてもよい。これにより、例えば、リチウム析出（または、マグネシウム析出）による電池の信頼性低下を防止することができる。
【０１０４】
図９は、実施の形態１における電池１３００の概略構成を示すｘ−ｚ図（断面図）である。
【０１０５】
図１０は、実施の形態１における電池１４００の概略構成を示すｘ−ｚ図（断面図）である。
【０１０６】
図１１は、実施の形態１における電池１５００の概略構成を示すｘ−ｚ図（断面図）である。
【０１０７】
第１折曲部分２１０は、第１張出部分２１１を有してもよい。
【０１０８】
第１張出部分２１１は、図９と図１０に示されるような、第２電解質部分３０２よりも第２電極層５１２が配置される側に張り出す部分（第１折曲部分２１０の一部）である。
【０１０９】
以上の構成によれば、第１電解質部分３０１と第２電解質部分３０２とに挟まれる構成部材（例えば、第１電極層５１１、第１対極層５２１、第１集電体６１０、など）の側面を第１折曲部分２１０により覆いながら、第２電解質部分３０２よりも第２電極層５１２が配置される側に位置する構成部材（例えば、第２電極層５１２、第２対極層５２２、第２集電体６２０、など）の側面を、第１折曲部分２１０の第１張出部分２１１により、覆うことができる。これにより、電池外部に存在しうる部材（例えば、別の電池、など）と、第１電解質部分３０１と第２電解質部分３０２とに挟まれる構成部材の側面および第２電解質部分３０２よりも第２電極層５１２が配置される側に位置する構成部材の側面が、互いに接触することを、第１折曲部分２１０により、防ぐことができる。
【０１１０】
また、第２折曲部分２２０は、第２張出部分２２１と第２張出部分２２２とのうちの少なくとも一方を有してもよい。
【０１１１】
第２張出部分２２１は、図９と図１１に示されるような、第２電解質部分３０２よりも第１対極層５２１が配置される側に張り出す部分（第２折曲部分２２０の一部）である。
【０１１２】
以上の構成によれば、第２電解質部分３０２と第３電解質部分３０３とに挟まれる構成部材（例えば、第２電極層５１２、第２対極層５２２、第２集電体６２０、など）の側面を第２折曲部分２２０により覆いながら、第２電解質部分３０２よりも第１対極層５２１が配置される側に位置する構成部材（例えば、第１電極層５１１、第１対極層５２１、第１集電体６１０、など）の側面を、第２折曲部分２２０の第２張出部分２２１により、覆うことができる。これにより、電池外部に存在しうる部材（例えば、別の電池、など）と、第２電解質部分３０２と第３電解質部分３０３とに挟まれる構成部材の側面および第２電解質部分３０２よりも第１対極層５２１が配置される側に位置する構成部材の側面が、互いに接触することを、第２張出部分２２１により、防ぐことができる。
【０１１３】
第２張出部分２２２は、図９と図１０に示されるような、第３電解質部分３０３よりも第３電極層５１３が配置される側に張り出す部分（第２折曲部分２２０の一部）である。
【０１１４】
以上の構成によれば、第２電解質部分３０２と第３電解質部分３０３とに挟まれる構成部材（例えば、第２電極層５１２、第２対極層５２２、第２集電体６２０、など）の側面を第２折曲部分２２０により覆いながら、第３電解質部分３０３よりも第３電極層５１３が配置される側に位置する構成部材（例えば、第３電極層５１３、第３対極層５２３、第３集電体６３０、など）の側面を、第２折曲部分２２０の第２張出部分２２２により、覆うことができる。これにより、電池外部に存在しうる部材（例えば、別の電池、など）と、第３電解質部分３０３よりも第３電極層５１３が配置される側に位置する構成部材の側面が、互いに接触することを、第２折曲部分２２０により、防ぐことができる。
【０１１５】
また、第３折曲部分２３０は、第３張出部分２３１を有してもよい。
【０１１６】
第３張出部分２３１は、図９と図１１に示されるような、第３電解質部分３０３よりも第２対極層５２２が配置される側に張り出す部分（第３折曲部分２３０の一部）である。
【０１１７】
以上の構成によれば、第３電解質部分３０３と第４電解質部分３０４とに挟まれる構成部材（例えば、第３電極層５１３、第３対極層５２３、第３集電体６３０、など）の側面を第３折曲部分２３０により覆いながら、第３電解質部分３０３よりも第２対極層５２２が配置される側に位置する構成部材（例えば、第２電極層５１２、第２対極層５２２、第２集電体６２０、など）の側面を、第３折曲部分２３０の第３張出部分２３１により、覆うことができる。これにより、電池外部に存在しうる部材（例えば、別の電池、など）と、第３電解質部分３０３と第４電解質部分３０４とに挟まれる構成部材の側面および第３電解質部分３０３よりも第２対極層５２２が配置される側に位置する構成部材の側面が、互いに接触することを、第３折曲部分２３０により、防ぐことができる。
【０１１８】
なお、図９と図１０と図１１に示されるように、第１折曲部分２１０と第３折曲部分２３０とは、互いに、接触してもよい。
【０１１９】
以上の構成によれば、第１電解質部分３０１と第２電解質部分３０２とに挟まれる構成部材（例えば、第１電極層５１１、第１対極層５２１、第１集電体６１０、など）の側面を第１折曲部分２１０により覆いながら、かつ、第３電解質部分３０３と第４電解質部分３０４とに挟まれる構成部材（例えば、第３電極層５１３、第３対極層５２３、第３集電体６３０、など）の側面を第３折曲部分２３０により覆いながら、第２電解質部分３０２と第３電解質部分３０３とに挟まれる構成部材（例えば、第２電極層５１２、第２対極層５２２、第２集電体６２０、など）の側面を、第１折曲部分２１０と第３折曲部分２３０のうちの少なくとも一方により、覆うことができる。言い換えれば、第２電解質部分３０２と第３電解質部分３０３とに挟まれる構成部材の側面のうち、第２折曲部分２２０により覆われる側面とは異なる側面を、第１折曲部分２１０と第３折曲部分２３０のうちの少なくとも一方により、覆うことができる。これにより、電池外部に存在しうる部材（例えば、別の電池、など）と、第１電解質部分３０１と第４電解質部分３０４とに挟まれる構成部材の側面とが、互いに接触することを、第１折曲部分２１０および第３折曲部分２３０により、防ぐことができる。また、電池の側面の一部が第１折曲部分２１０および第３折曲部分２３０により覆われることで、電池の構成部材（例えば、第２電極層５１２に含まれる電極材料、第２対極層５２２に含まれる対極材料、など）の一部が崩落した場合であっても、第１折曲部分２１０および第３折曲部分２３０により、当該崩落した構成部材が、電池内部の別の単電池セル部分（例えば、第１発電要素５０１または第３発電要素５０３、など）または電池外部に移動することを抑制できる。したがって、電池の構成部材の崩落による、電池内部の短絡を抑制できる。これらにより、電池の信頼性を、より向上させることができる。
【０１２０】
なお、図９に示されるように、第１張出部分２１１と第３張出部分２３１とが接触することで、第１折曲部分２１０と第３折曲部分２３０とは、互いに、接触してもよい。
【０１２１】
もしくは、図１０に示されるように、第１張出部分２１１と第３折曲部分２３０とが接触することで、第１折曲部分２１０と第３折曲部分２３０とは、互いに、接触してもよい。
【０１２２】
もしくは、図１１に示されるように、第１折曲部分２１０と第３張出部分２３１とが接触することで、第１折曲部分２１０と第３折曲部分２３０とは、互いに、接触してもよい。
【０１２３】
なお、本開示において、「所定の層と所定の別の層とが、互いに対向して、位置する」とは、例えば、「各層の積層方向から見た場合に、所定の層の主面の一部（または、主面の全領域）が、所定の別の層の主面の一部（または、主面の全領域）と重なるように、位置する」ことを意味する。
【０１２４】
また、本開示において、「所定の層と所定の別の層とが、互いに対向して、位置する構成」は、「互いに対向する所定の層の主面と所定の別の層と主面の間に、別の部材（例えば、別の材料からなる層）が配置されている構成」も、包含する。
【０１２５】
また、本開示においては、第１発電要素５０１と第２発電要素５０２と第３発電要素５０３の少なくとも１つは、複数の単電池セルが積層されて成る積層電池であってもよい。
【０１２６】
なお、実施の形態１における電池の製造方法は、後述の実施の形態５として、説明される。
【０１２７】
（実施の形態２）
以下、実施の形態２が説明される。上述の実施の形態１と重複する説明は、適宜、省略される。
【０１２８】
図１２は、実施の形態２における電池２０００の概略構成を示す斜視図である。
【０１２９】
図１３は、実施の形態２における電池２０００の概略構成を示すｘ−ｚ図（１２Ａ断面図）である。
【０１３０】
図１４は、実施の形態２における電池２０００の概略構成を示すｙ−ｚ図（１２Ｂ断面図）である。
【０１３１】
なお、図１２（および、図１５などの他の同様の斜視図）においては、図面の複雑化を避けるため、電極層と対極層と集電体の図示は、省略されている。
【０１３２】
実施の形態２における電池２０００は、上述の実施の形態１における電池１０００の構成に加えて、下記の構成をさらに備える。
【０１３３】
すなわち、実施の形態２における電池２０００は、第２絶縁体１２０と、第２電極層５１２と、第４電極層５１４と、第４対極層５２４と、第５対極層５２５と、をさらに備える。
【０１３４】
第４対極層５２４と第５対極層５２５とは、第１電極層５１１および第４電極層５１４の対極である。
【０１３５】
第２絶縁体１２０は、第５電解質部分３０５と、第６電解質部分３０６と、第４折曲部分２４０と、を有する。
【０１３６】
第４折曲部分２４０は、第５電解質部分３０５と第６電解質部分３０６との間に、位置する。
【０１３７】
第２電極層５１２は、第２電解質部分３０２に接して、配置される。
【０１３８】
第５対極層５２５は、第６電解質部分３０６に接して、配置される。
【０１３９】
第５電解質部分３０５は、第１電解質部分３０１と第２電解質部分３０２との間に、配置される。
【０１４０】
第４電極層５１４は、第５電解質部分３０５に接して、第１対極層５２１と対向する位置に、配置される。
【０１４１】
第４対極層５２４は、第５電解質部分３０５に接して、第１電極層５１１と対向する位置に、配置される。
【０１４２】
第２絶縁体１２０が第４折曲部分２４０において折り曲げられている。これにより、第２電極層５１２と第５対極層５２５とは、互いに対向して、位置する。
【０１４３】
以上の構成によれば、電池の構成部材の間の接合強度を、より高めることができる。すなわち、第４折曲部分２４０により互いに連結される第５電解質部分３０５と第６電解質部分３０６とに、それぞれ、第４電極層５１４と第５対極層５２５とを、配置することができる。これにより、第５電解質部分３０５に配置される第４電極層５１４と第６電解質部分３０６に配置される第５対極層５２５との位置関係を、第４折曲部分２４０により（言い換えれば、１つの構成部材である第２絶縁体１２０により）、強固に維持することができる。これにより、例えば、電池製造時または電池使用時における衝撃または振動などによって、電池を構成する各層（例えば、第４電極層５１４と第５対極層５２５）が位置ずれまたは分離することを防止できる。
【０１４４】
また、以上の構成によれば、電池の側面のうち、第４折曲部分２４０が位置する側面を、第４折曲部分２４０により、覆うことができる。これにより、電池外部に存在しうる部材（例えば、別の電池、など）と、第４折曲部分２４０が位置する電池の側面とが、互いに接触することを、第４折曲部分２４０により、防ぐことができる。したがって、電池同士の接触による短絡を抑制できる。また、電池と電池外部に存在しうる部材との接触による電池の側面の部分的な破壊を抑制できる。また、電池の側面の一部が第４折曲部分２４０により覆われることで、電池の構成部材（例えば、第２電極層５１２または第４電極層５１４に含まれる電極材料、第１対極層５２１または第５対極層５２５に含まれる対極材料、など）の一部が崩落した場合であっても、第４折曲部分２４０により、当該崩落した構成部材が、電池内部の別の単電池セル部分または電池外部に移動することを抑制できる。したがって、電池の構成部材の崩落による、電池内部の短絡を抑制できる。これらにより、電池の信頼性を、より向上させることができる。
【０１４５】
なお、実施の形態２における電池２０００は、図１３と図１４に示されるように、第１集電体６１０と、第２集電体６２０と、第３集電体６３０と、をさらに備えてもよい。
【０１４６】
第１集電体６１０は、第１電極層５１１と第４対極層５２４との間に、第１電極層５１１と第４対極層５２４とに接して、配置される。
【０１４７】
第２集電体６２０は、第４電極層５１４と第１対極層５２１との間に、第４電極層５１４と第１対極層５２１とに接して、配置される。
【０１４８】
第３集電体６３０は、第２電極層５１２と第５対極層５２５との間に、第２電極層５１２と第５対極層５２５とに接して、配置される。
【０１４９】
以上の構成によれば、第１絶縁体１１０と第２絶縁体１２０とを用いて、積層型電池を構成することができる。すなわち、第４電極層５１４と第４対極層５２４とを含む第１発電要素５０１と、第２電極層５１２と第１対極層５２１とを含む第２発電要素５０２とを、第２集電体６２０を介して、直列接続で積層することができる。すなわち、第１発電要素５０１と第２発電要素５０２の各構成部材との位置関係を、第１絶縁体１１０および第２絶縁体１２０の各折曲部分により強固に維持しながら、第１発電要素５０１と第２発電要素５０２との直列接続により電池電圧を高めることができる。
【０１５０】
図１５は、実施の形態２における電池２１００の概略構成を示す斜視図である。
【０１５１】
図１６は、実施の形態２における電池２１００の概略構成を示すｘ−ｚ図（１５Ａ断面図）である。
【０１５２】
図１７は、実施の形態２における電池２１００の概略構成を示すｙ−ｚ図（１５Ｂ断面図）である。
【０１５３】
実施の形態２における電池２１００は、上述の実施の形態２における電池２０００の構成に加えて、下記の構成をさらに備える。
【０１５４】
すなわち、実施の形態２における電池２１００は、第５電極層５１５と、第２対極層５２２と、をさらに備える。
【０１５５】
第２対極層５２２は、第１電極層５１１および第２電極層５１２および第４電極層５１４および第５電極層５１５の対極である。
【０１５６】
第１絶縁体１１０は、第２折曲部分２２０と、第３電解質部分３０３と、を有する。
【０１５７】
第２折曲部分２２０は、第２電解質部分３０２と第３電解質部分３０３との間に、位置する。
【０１５８】
第５電極層５１５は、第６電解質部分３０６に接して、配置される。
【０１５９】
第２対極層５２２は、第３電解質部分３０３に接して、配置される。
【０１６０】
第１絶縁体１１０が第２折曲部分２２０において折り曲げられている。これにより、第５電極層５１５と第２対極層５２２とは、互いに対向して、位置する。
【０１６１】
以上の構成によれば、電池の構成部材の間の接合強度を、より高めることができる。すなわち、第２折曲部分２２０により互いに連結される第２電解質部分３０２と第３電解質部分３０３とに、それぞれ、第２電極層５１２と第２対極層５２２とを、配置することができる。これにより、第２電解質部分３０２に配置される第２電極層５１２と第３電解質部分３０３に配置される第２対極層５２２との位置関係を、第２折曲部分２２０により（言い換えれば、１つの構成部材である第１絶縁体１１０により）、強固に維持することができる。これにより、例えば、電池製造時または電池使用時における衝撃または振動などによって、電池を構成する各層（例えば、第２電極層５１２と第２対極層５２２）が位置ずれまたは分離することを防止できる。
【０１６２】
また、以上の構成によれば、電池の側面のうち、第２折曲部分２２０が位置する側面を、第２折曲部分２２０により、覆うことができる。これにより、電池外部に存在しうる部材（例えば、別の電池、など）と、第２折曲部分２２０が位置する電池の側面とが、互いに接触することを、第２折曲部分２２０により、防ぐことができる。したがって、電池同士の接触による短絡を抑制できる。また、電池と電池外部に存在しうる部材との接触による電池の側面の部分的な破壊を抑制できる。また、電池の側面の一部が第２折曲部分２２０により覆われることで、電池の構成部材（例えば、第２電極層５１２または第５電極層５１５に含まれる電極材料、第２対極層５２２または第５対極層５２５に含まれる対極材料、など）の一部が崩落した場合であっても、第２折曲部分２２０により、当該崩落した構成部材が、電池内部の別の単電池セル部分または電池外部に移動することを抑制できる。したがって、電池の構成部材の崩落による、電池内部の短絡を抑制できる。これらにより、電池の信頼性を、より向上させることができる。
【０１６３】
なお、実施の形態２における電池２１００は、図１６と図１７に示されるように、第１集電体６１０と、第２集電体６２０と、第３集電体６３０と、第４集電体６４０と、をさらに備えてもよい。
【０１６４】
第４集電体６４０は、第５電極層５１５と第２対極層５２２との間に、第５電極層５１５と第２対極層５２２とに接して、配置される。
【０１６５】
以上の構成によれば、第１絶縁体１１０と第２絶縁体１２０とを用いて、積層型電池を構成することができる。すなわち、第２電極層５１２と第１対極層５２１とを含む第２発電要素５０２と、第５電極層５１５と第５対極層５２５とを含む第３発電要素５０３とを、第３集電体６３０を介して、直列接続で積層することができる。すなわち、第１発電要素５０１と第２発電要素５０２と第３発電要素５０３の各構成部材との位置関係を、第１絶縁体１１０および第２絶縁体１２０の各折曲部分により強固に維持しながら、第１発電要素５０１と第２発電要素５０２と第３発電要素５０３との直列接続により電池電圧を高めることができる。
【０１６６】
図１８は、実施の形態２における電池２２００の概略構成を示す斜視図である。
【０１６７】
図１９は、実施の形態２における電池２２００の概略構成を示すｘ−ｚ図（１８Ａ断面図）である。
【０１６８】
図２０は、実施の形態２における電池２２００の概略構成を示すｙ−ｚ図（１８Ｂ断面図）である。
【０１６９】
実施の形態２における電池２２００は、上述の実施の形態２における電池２１００の構成に加えて、下記の構成をさらに備える。
【０１７０】
すなわち、実施の形態２における電池２２００は、第３電極層５１３と、第６対極層５２６と、をさらに備える。
【０１７１】
第６対極層５２６は、第１電極層５１１および第２電極層５１２および第３電極層５１３および第４電極層５１４および第５電極層５１５の対極である。
【０１７２】
第２絶縁体１２０は、第７電解質部分３０７と、第５折曲部分２５０と、を有する。
【０１７３】
第５折曲部分２５０は、第６電解質部分３０６と第７電解質部分３０７との間に、位置する。
【０１７４】
第３電極層５１３は、第３電解質部分３０３に接して、配置される。
【０１７５】
第６対極層５２６は、第７電解質部分３０７に接して、配置される。
【０１７６】
第２絶縁体１２０が第５折曲部分２５０において折り曲げられている。これにより、第３電極層５１３と第６対極層５２６とは、互いに対向して、位置する。
【０１７７】
以上の構成によれば、電池の構成部材の間の接合強度を、より高めることができる。すなわち、第５折曲部分２５０により互いに連結される第６電解質部分３０６と第７電解質部分３０７とに、それぞれ、第５電極層５１５と第６対極層５２６とを、配置することができる。これにより、第６電解質部分３０６に配置される第５電極層５１５と第７電解質部分３０７に配置される第６対極層５２６との位置関係を、第５折曲部分２５０により（言い換えれば、１つの構成部材である第２絶縁体１２０により）、強固に維持することができる。これにより、例えば、電池製造時または電池使用時における衝撃または振動などによって、電池を構成する各層（例えば、第５電極層５１５と第６対極層５２６）が位置ずれまたは分離することを防止できる。
【０１７８】
また、以上の構成によれば、電池の側面のうち、第５折曲部分２５０が位置する側面を、第５折曲部分２５０により、覆うことができる。これにより、電池外部に存在しうる部材（例えば、別の電池、など）と、第５折曲部分２５０が位置する電池の側面とが、互いに接触することを、第５折曲部分２５０により、防ぐことができる。したがって、電池同士の接触による短絡を抑制できる。また、電池と電池外部に存在しうる部材との接触による電池の側面の部分的な破壊を抑制できる。また、電池の側面の一部が第５折曲部分２５０により覆われることで、電池の構成部材（例えば、第３電極層５１３または第５電極層５１５に含まれる電極材料、第２対極層５２２または第６対極層５２６に含まれる対極材料、など）の一部が崩落した場合であっても、第５折曲部分２５０により、当該崩落した構成部材が、電池内部の別の単電池セル部分または電池外部に移動することを抑制できる。したがって、電池の構成部材の崩落による、電池内部の短絡を抑制できる。これらにより、電池の信頼性を、より向上させることができる。
【０１７９】
なお、実施の形態２における電池２２００は、第１集電体６１０と、第２集電体６２０と、第３集電体６３０と、第４集電体６４０と、第５集電体６５０と、をさらに備えてもよい。
【０１８０】
第５集電体６５０は、第３電極層５１３と第６対極層５２６との間に、第３電極層５１３と第６対極層５２６とに接して、配置される。
【０１８１】
以上の構成によれば、第１絶縁体１１０と第２絶縁体１２０とを用いて、積層型電池を構成することができる。すなわち、第５電極層５１５と第５対極層５２５とを含む第３発電要素５０３と、第３電極層５１３と第２対極層５２２とを含む第４発電要素５０４とを、第４集電体６４０を介して、直列接続で積層することができる。すなわち、第１発電要素５０１と第２発電要素５０２と第３発電要素５０３と第４発電要素５０４の各構成部材との位置関係を、第１絶縁体１１０および第２絶縁体１２０の各折曲部分により強固に維持しながら、第１発電要素５０１と第２発電要素５０２と第３発電要素５０３と第４発電要素５０４との直列接続により電池電圧を高めることができる。
【０１８２】
図２１は、実施の形態２における電池２３００の概略構成を示す斜視図である。
【０１８３】
図２２は、実施の形態２における電池２３００の概略構成を示すｘ−ｚ図（２１Ａ断面図）である。
【０１８４】
図２３は、実施の形態２における電池２３００の概略構成を示すｙ−ｚ図（２１Ｂ断面図）である。
【０１８５】
実施の形態２における電池２３００は、上述の実施の形態２における電池２２００の構成に加えて、下記の構成をさらに備える。
【０１８６】
すなわち、実施の形態２における電池２３００は、第６電極層５１６と、第３対極層５２３と、をさらに備える。
【０１８７】
第３対極層５２３は、第１電極層５１１および第２電極層５１２および第３電極層５１３および第４電極層５１４および第５電極層５１５および第６電極層５１６の対極である。
【０１８８】
第１絶縁体１１０は、第３折曲部分２３０と、第４電解質部分３０４と、を有する。
【０１８９】
第３折曲部分２３０は、第３電解質部分３０３と第４電解質部分３０４との間に、位置する。
【０１９０】
第６電極層５１６は、第７電解質部分３０７に接して、配置される。
【０１９１】
第３対極層５２３は、第４電解質部分３０４に接して、配置される。
【０１９２】
第１絶縁体１１０が第３折曲部分２３０において折り曲げられている。これにより、第６電極層５１６と第３対極層５２３とは、互いに対向して、位置する。
【０１９３】
以上の構成によれば、電池の構成部材の間の接合強度を、より高めることができる。すなわち、第３折曲部分２３０により互いに連結される第３電解質部分３０３と第４電解質部分３０４とに、それぞれ、第３電極層５１３と第３対極層５２３とを、配置することができる。これにより、第３電解質部分３０３に配置される第３電極層５１３と第４電解質部分３０４に配置される第３対極層５２３との位置関係を、第３折曲部分２３０により（言い換えれば、１つの構成部材である第１絶縁体１１０により）、強固に維持することができる。これにより、例えば、電池製造時または電池使用時における衝撃または振動などによって、電池を構成する各層（例えば、第３電極層５１３と第３対極層５２３）が位置ずれまたは分離することを防止できる。
【０１９４】
また、以上の構成によれば、電池の側面のうち、第３折曲部分２３０が位置する側面を、第３折曲部分２３０により、覆うことができる。これにより、電池外部に存在しうる部材（例えば、別の電池、など）と、第３折曲部分２３０が位置する電池の側面とが、互いに接触することを、第３折曲部分２３０により、防ぐことができる。したがって、電池同士の接触による短絡を抑制できる。また、電池と電池外部に存在しうる部材との接触による電池の側面の部分的な破壊を抑制できる。また、電池の側面の一部が第３折曲部分２３０により覆われることで、電池の構成部材（例えば、第３電極層５１３または第６電極層５１６に含まれる電極材料、第３対極層５２３または第６対極層５２６に含まれる対極材料、など）の一部が崩落した場合であっても、第３折曲部分２３０により、当該崩落した構成部材が、電池内部の別の単電池セル部分または電池外部に移動することを抑制できる。したがって、電池の構成部材の崩落による、電池内部の短絡を抑制できる。これらにより、電池の信頼性を、より向上させることができる。
【０１９５】
なお、実施の形態２における電池２３００は、第１集電体６１０と、第２集電体６２０と、第３集電体６３０と、第４集電体６４０と、第５集電体６５０と、第６集電体６６０と、をさらに備えてもよい。
【０１９６】
第６集電体６６０は、第６電極層５１６と第３対極層５２３との間に、第６電極層５１６と第３対極層５２３とに接して、配置される。
【０１９７】
以上の構成によれば、第１絶縁体１１０と第２絶縁体１２０とを用いて、積層型電池を構成することができる。すなわち、第３電極層５１３と第２対極層５２２とを含む第４発電要素５０４と、第６電極層５１６と第６対極層５２６とを含む第５発電要素５０５とを、第５集電体６５０を介して、直列接続で積層することができる。すなわち、第１発電要素５０１と第２発電要素５０２と第３発電要素５０３と第４発電要素５０４と第５発電要素５０５の各構成部材との位置関係を、第１絶縁体１１０および第２絶縁体１２０の各折曲部分により強固に維持しながら、第１発電要素５０１と第２発電要素５０２と第３発電要素５０３と第４発電要素５０４と第５発電要素５０５との直列接続により電池電圧を高めることができる。
【０１９８】
なお、第５電解質部分３０５と第６電解質部分３０６と第７電解質部分３０７とは、第２絶縁体１２０の基材に、電解質材料が設けられることで、形成される部分である。第１電解質部分３０１から第７電解質部分３０７のそれぞれの構成（例えば、厚み、面積、形状、含有材料、など）は、互いに、同じであってもよいし、異なっていてもよい。
【０１９９】
また、第１電解質部分３０１から第７電解質部分３０７は、それぞれ、第１電極層５１１から第６電極層５１６よりも広い範囲に、かつ、第１対極層５２１から第６対極層５２６のいずれよりも広い範囲に、形成されてもよい。これにより、各電極層と各対極層との直接接触による短絡を防止できる。
【０２００】
なお、第５電解質部分３０５と第６電解質部分３０６とは、互いに、所定の間隔を空けて、島状に配置されてもよい。このとき、第５電解質部分３０５と第６電解質部分３０６との間に位置する基材の部分（電解質材料が配置されない部分）は、第４折曲領域７４０となる。第４折曲部分２４０は、第４折曲領域７４０が折り曲げられることで形成される部分である。
【０２０１】
なお、第６電解質部分３０６と第７電解質部分３０７とは、互いに、所定の間隔を空けて、島状に配置されてもよい。このとき、第６電解質部分３０６と第７電解質部分３０７との間に位置する基材の部分（電解質材料が配置されない部分）は、第５折曲領域７５０となる。第５折曲部分２５０は、第５折曲領域７５０が折り曲げられることで形成される部分である。
【０２０２】
なお、第１折曲部分２１０から第６折曲部分２６０のそれぞれの構成（例えば、厚み、面積、形状、含有材料、など）は、互いに、同じであってもよいし、異なっていてもよい。
【０２０３】
なお、第５電解質部分３０５は、第１集電体６１０と第２集電体６２０よりも広い範囲に、配置されてもよい。これにより、第１集電体６１０と第２集電体６２０との短絡を、第５電解質部分３０５により、防止できる。
【０２０４】
なお、第２電解質部分３０２は、第２集電体６２０と第３集電体６３０よりも広い範囲に、配置されてもよい。これにより、第２集電体６２０と第３集電体６３０との短絡を、第２電解質部分３０２により、防止できる。
【０２０５】
また、第６電解質部分３０６は、第３集電体６３０と第４集電体６４０よりも広い範囲に、配置されてもよい。これにより、第３集電体６３０と第４集電体６４０との短絡を、第６電解質部分３０６により、防止できる。
【０２０６】
また、第３電解質部分３０３は、第４集電体６４０と第５集電体６５０よりも広い範囲に、配置されてもよい。これにより、第４集電体６４０と第５集電体６５０との短絡を、第３電解質部分３０３により、防止できる。
【０２０７】
また、第７電解質部分３０７は、第５集電体６５０と第６集電体６６０よりも広い範囲に、配置されてもよい。これにより、第５集電体６５０と第６集電体６６０との短絡を、第７電解質部分３０７により、防止できる。
【０２０８】
また、第４電極層５１４と第５電極層５１５と第６電極層５１６は、電極材料（例えば、活物質）を含む層である。第１電極層５１１から第６電極層５１６のそれぞれの構成（例えば、厚み、形成面積、形状、含有材料、など）は、互いに、同じであってもよいし、異なっていてもよい。
【０２０９】
また、第１電極層５１１から第６電極層５１６は、それぞれ、第１集電体６１０から第６集電体６６０のいずれよりも狭い範囲に、形成されてもよい。
【０２１０】
また、第４対極層５２４と第５対極層５２５と第６対極層５２６は、対極材料（例えば、活物質）を含む層である。対極材料は、電極材料の対極を構成する材料である。第１対極層５２１から第６対極層５２６のそれぞれの構成（例えば、各層の厚み、形成面積、形状、含有材料、など）は、互いに、同じであってもよいし、異なっていてもよい。
【０２１１】
また、第１対極層５２１から第６対極層５２６は、それぞれ、第１集電体６１０から第６集電体６６０のいずれよりも狭い範囲に、形成されてもよい。
【０２１２】
また、第４集電体６４０と第５集電体６５０と第６集電体６６０は、導電性を有する部材である。第１集電体６１０から第６集電体６６０のそれぞれの構成（例えば、各層の厚み、形成面積、形状、含有材料、など）は、互いに、同じであってもよいし、異なっていてもよい。
【０２１３】
第３発電要素５０３と第４発電要素５０４と第５発電要素５０５とは、例えば、充電および放電の特性を有する発電部（例えば、二次電池）である。例えば、第３発電要素５０３と第４発電要素５０４と第５発電要素５０５とは、単電池セルであってもよい。
【０２１４】
なお、第３発電要素５０３と第４発電要素５０４と第５発電要素５０５とは、固体電解質を含んでもよい。すなわち、第３発電要素５０３と第４発電要素５０４と第５発電要素５０５とは、全固体電池であってもよい。
【０２１５】
なお、第１電極層５１１と第２電極層５１２と第３電極層５１３と第４電極層５１４と第５電極層５１５と第６電極層５１６は負極活物質層であってもよい。このとき、電極材料は負極活物質である。第１集電体６１０と第２集電体６２０と第３集電体６３０と第４集電体６４０と第５集電体６５０と第６集電体６６０はバイポーラ集電体である。第１対極層５２１と第２対極層５２２と第３対極層５２３と第４対極層５２４と第５対極層５２５と第６対極層５２６は正極活物質層である。対極材料は正極活物質である。このとき、第１電解質部分３０１（例えば、第１電解質部分３０１の主面のうちの第１電極層５１１が配置されない主面）に接して、正極活物質層が配置されてもよい。さらに、当該正極活物質層に接して、正極集電体が配置されてもよい。また、第４電解質部分３０４（例えば、第４電解質部分３０４の主面のうちの第３対極層５２３が配置されない主面）に接して、負極活物質層が配置されてもよい。さらに、当該負極活物質層に接して、負極集電体が配置されてもよい。
【０２１６】
もしくは、第１電極層５１１と第２電極層５１２と第３電極層５１３と第４電極層５１４と第５電極層５１５と第６電極層５１６は正極活物質層であってもよい。このとき、電極材料は正極活物質である。第１集電体６１０と第２集電体６２０と第３集電体６３０と第４集電体６４０と第５集電体６５０と第６集電体６６０はバイポーラ集電体である。第１対極層５２１と第２対極層５２２と第３対極層５２３と第４対極層５２４と第５対極層５２５と第６対極層５２６は負極活物質層である。対極材料は負極活物質である。このとき、第１電解質部分３０１（例えば、第１電解質部分３０１の主面のうちの第１電極層５１１が配置されない主面）に接して、負極活物質層が配置されてもよい。さらに、当該負極活物質層に接して、負極集電体が配置されてもよい。また、第４電解質部分３０４（例えば、第４電解質部分３０４の主面のうちの第３対極層５２３が配置されない主面）に接して、正極活物質層が配置されてもよい。さらに、当該正極活物質層に接して、正極集電体が配置されてもよい。
【０２１７】
図２４は、実施の形態２における電池２４００の概略構成を示すｙ−ｚ図（断面図）である。
【０２１８】
図２５は、実施の形態２における電池２５００の概略構成を示すｙ−ｚ図（断面図）である。
【０２１９】
図２６は、実施の形態２における電池２６００の概略構成を示すｙ−ｚ図（断面図）である。
【０２２０】
なお、第４折曲部分２４０は、第４張出部分２４１と第４張出部分２４２とのうちの少なくとも一方を有してもよい。
【０２２１】
第４張出部分２４１は、図２４と図２６に示されるような、第５電解質部分３０５よりも第４対極層５２４が配置される側に張り出す部分（第４折曲部分２４０の一部）である。
【０２２２】
以上の構成によれば、第５電解質部分３０５と第６電解質部分３０６とに挟まれる構成部材の側面を第４折曲部分２４０により覆いながら、第５電解質部分３０５よりも第４対極層５２４が配置される側に位置する構成部材の側面を、第４折曲部分２４０の第４張出部分２４１により、覆うことができる。これにより、電池外部に存在しうる部材（例えば、別の電池、など）と、第５電解質部分３０５と第６電解質部分３０６とに挟まれる構成部材の側面および第５電解質部分３０５よりも第４対極層５２４が配置される側に位置する構成部材の側面が、互いに接触することを、第４折曲部分２４０により、防ぐことができる。
【０２２３】
第４張出部分２４２は、図２４と図２５に示されるような、第６電解質部分３０６よりも第５電極層５１５が配置される側に張り出す部分（第４折曲部分２４０の一部）である。
【０２２４】
以上の構成によれば、第５電解質部分３０５と第６電解質部分３０６とに挟まれる構成部材の側面を第４折曲部分２４０により覆いながら、第６電解質部分３０６よりも第５電極層５１５が配置される側に位置する構成部材の側面を、第４折曲部分２４０の第４張出部分２４２により、覆うことができる。これにより、電池外部に存在しうる部材（例えば、別の電池、など）と、第５電解質部分３０５と第６電解質部分３０６とに挟まれる構成部材の側面および第６電解質部分３０６よりも第５電極層５１５が配置される側に位置する構成部材の側面が、互いに接触することを、第４折曲部分２４０により、防ぐことができる。
【０２２５】
なお、第５折曲部分２５０は、第５張出部分２５１と第５張出部分２５２とのうちの少なくとも一方を有してもよい。
【０２２６】
第５張出部分２５１は、図２４と図２６に示されるような、第６電解質部分３０６よりも第５対極層５２５が配置される側に張り出す部分（第５折曲部分２５０の一部）である。
【０２２７】
また、以上の構成によれば、第６電解質部分３０６と第７電解質部分３０７とに挟まれる構成部材の側面を第５折曲部分２５０により覆いながら、第６電解質部分３０６よりも第５対極層５２５が配置される側に位置する構成部材の側面を、第５折曲部分２５０の第５張出部分２５１により、覆うことができる。これにより、電池外部に存在しうる部材（例えば、別の電池、など）と、第６電解質部分３０６と第７電解質部分３０７とに挟まれる構成部材の側面および第６電解質部分３０６よりも第５対極層５２５が配置される側に位置する構成部材の側面が、互いに接触することを、第５折曲部分２５０により、防ぐことができる。
【０２２８】
第５張出部分２５２は、図２４と図２５に示されるような、第７電解質部分３０７よりも第６電極層５１６が配置される側に張り出す部分（第５折曲部分２５０の一部）である。
【０２２９】
また、以上の構成によれば、第６電解質部分３０６と第７電解質部分３０７とに挟まれる構成部材の側面を第５折曲部分２５０により覆いながら、第７電解質部分３０７よりも第６電極層５１６が配置される側に位置する構成部材の側面を、第５折曲部分２５０の第５張出部分２５２により、覆うことができる。これにより、電池外部に存在しうる部材（例えば、別の電池、など）と、第６電解質部分３０６と第７電解質部分３０７とに挟まれる構成部材の側面および第６電解質部分３０６よりも第５対極層５２５が配置される側に位置する構成部材の側面が、互いに接触することを、第５折曲部分２５０により、防ぐことができる。
【０２３０】
図２７は、実施の形態２における電池２４１０の概略構成を示すｙ−ｚ図（断面図）である。
【０２３１】
図２８は、実施の形態２における電池２５１０の概略構成を示すｙ−ｚ図（断面図）である。
【０２３２】
図２９は、実施の形態２における電池２６１０の概略構成を示すｙ−ｚ図（断面図）である。
【０２３３】
図２７と図２８と図２９とに示されるように、第２絶縁体１２０は、第７電解質部分３０７と連結される第６折曲部分２６０を有してもよい。
【０２３４】
このとき、図２７と図２８と図２９とに示されるように、第４折曲部分２４０と第６折曲部分２６０とは、互いに、接触してもよい。
【０２３５】
以上の構成によれば、第５電解質部分３０５と第６電解質部分３０６とに挟まれる構成部材の側面を第４折曲部分２４０により覆いながら、第６電解質部分３０６と第７電解質部分３０７とに挟まれる構成部材の側面を、第４折曲部分２４０と第６折曲部分２６０のうちの少なくとも一方により、覆うことができる。言い換えれば、第６電解質部分３０６と第７電解質部分３０７とに挟まれる構成部材の側面のうち、第５折曲部分２５０により覆われる側面とは異なる側面を、第４折曲部分２４０と第６折曲部分２６０のうちの少なくとも一方により、覆うことができる。これにより、電池外部に存在しうる部材（例えば、別の電池、など）と、第５電解質部分３０５と第７電解質部分３０７とに挟まれる構成部材の側面とが、互いに接触することを、第４折曲部分２４０および第６折曲部分２６０により、防ぐことができる。また、電池の側面の一部が第４折曲部分２４０および第６折曲部分２６０により覆われることで、電池の構成部材の一部が崩落した場合であっても、第４折曲部分２４０および第６折曲部分２６０により、当該崩落した構成部材が、電池内部の別の単電池セル部分または電池外部に移動することを抑制できる。したがって、電池の構成部材の崩落による、電池内部の短絡を抑制できる。これらにより、電池の信頼性を、より向上させることができる。
【０２３６】
なお、図２７と図２９に示されるように、第６折曲部分２６０は、第６張出部分２６１を有してもよい。
【０２３７】
第６張出部分２６１は、図２７と図２９に示されるような、第７電解質部分３０７よりも第６対極層５２６が配置される側に張り出す部分（第６折曲部分２６０の一部）である。
【０２３８】
なお、図２７に示されるように、第４張出部分２４２と第６張出部分２６１とが接触することで、第４折曲部分２４０と第６折曲部分２６０とは、互いに、接触してもよい。
【０２３９】
もしくは、図２８に示されるように、第４張出部分２４２と第６折曲部分２６０とが接触することで、第４折曲部分２４０と第６折曲部分２６０とは、互いに、接触してもよい。
【０２４０】
もしくは、図２９に示されるように、第４折曲部分２４０と第６張出部分２６１とが接触することで、第４折曲部分２４０と第６折曲部分２６０とは、互いに、接触してもよい。
【０２４１】
なお、実施の形態２における電池の製造方法は、後述の実施の形態５として、説明される。
【０２４２】
（実施の形態３）
以下、実施の形態３が説明される。上述の実施の形態１または２と重複する説明は、適宜、省略される。
【０２４３】
図３０は、実施の形態３における電池３０００の概略構成を示す図である。
【０２４４】
図３０（ａ）は、実施の形態３における電池３０００の概略構成を示すｘ−ｚ図（３０Ａ断面図）である。
【０２４５】
図３０（ｂ）は、実施の形態３における電池３０００の概略構成を示すｘ−ｙ図（３０Ｂ断面図）である。
【０２４６】
実施の形態３における電池３０００は、上述の実施の形態１における電池１０００の構成に加えて、下記の構成をさらに備える。
【０２４７】
すなわち、実施の形態３における電池３０００においては、第１絶縁体１１０は、第３電解質部分３０３と、第２折曲部分２２０と、を有する。
【０２４８】
第２折曲部分２２０は、第２電解質部分３０２と第３電解質部分３０３との間に、位置する。
【０２４９】
第１絶縁体１１０が第２折曲部分２２０において折り曲げられている。これにより、第２電解質部分３０２と第３電解質部分３０３とは、互いに対向して、位置する。
【０２５０】
実施の形態３における電池３０００は、第２電極層５１２をさらに備える。
【０２５１】
第２電解質部分３０２は、第１表面領域４１１と、第１裏面領域４２１と、を有する。
【０２５２】
第１裏面領域４２１は、第１表面領域４１１の裏面に位置する領域である。
【０２５３】
第１対極層５２１は、第１表面領域４１１に接して、配置される。
【０２５４】
第３電解質部分３０３は、第２表面領域４１２と、第２裏面領域４２２と、を有する。
【０２５５】
第２裏面領域４２２は、第２表面領域４１２の裏面に位置する領域である。
【０２５６】
第２電極層５１２は、第２表面領域４１２に接して、配置される。
【０２５７】
第１絶縁体１１０が第２折曲部分２２０において折り曲げられている。これにより、第１裏面領域４２１と第２裏面領域４２２とは、互いに対向して、位置する。
【０２５８】
第１裏面領域４２１と第２裏面領域４２２とは、互いに、接触する。
【０２５９】
以上の構成によれば、電池の構成部材の間の接合強度を、より高めることができる。すなわち、第２電解質部分３０２および第３電解質部分３０３（すなわち、第１絶縁体１１０の一部の領域であり、かつ、第２折曲部分２２０により連結している２つの領域）に、それぞれ、第１対極層５２１と第２電極層５１２とを、配置することができる。これにより、第１表面領域４１１に配置される第１対極層５２１と第２表面領域４１２に配置される第２電極層５１２との位置関係を、第２折曲部分２２０により（言い換えれば、１つの構成部材である第１絶縁体１１０により）、強固に維持することができる。したがって、例えば、第１絶縁体１１０を用いて積層型電池が構成される場合には、電池を構成する２つの電池セル（素電池）を、第１絶縁体１１０により、互いに、連結することができる。これにより、例えば、電池製造時または電池使用時における衝撃または振動などによって、電池を構成する各層（または、各素電池）が位置ずれまたは分離することを防止できる。すなわち、電池を構成する各層（または、各素電池）の接合の強度を、第１絶縁体１１０により、高めることができる。これにより、電池の信頼性を向上させることができる。
【０２６０】
また、以上の構成によれば、電池の側面のうち、第１折曲部分２１０が位置する側面を、第１折曲部分２１０により、覆うことができる。これにより、電池外部に存在しうる部材（例えば、別の電池、など）と、第１折曲部分２１０が位置する電池の側面とが、互いに接触することを、第１折曲部分２１０により、防ぐことができる。したがって、電池同士の接触による短絡を抑制できる。また、電池と電池外部に存在しうる部材との接触による電池の側面の部分的な破壊を抑制できる。また、電池の側面の一部が第１折曲部分２１０により覆われることで、電池の構成部材（例えば、第１電極層５１１に含まれる電極材料、第１対極層５２１に含まれる対極材料、など）の一部が崩落した場合であっても、第１折曲部分２１０により、当該崩落した構成部材が、電池内部の別の単電池セル部分または電池外部に移動することを抑制できる。したがって、電池の構成部材の崩落による、電池内部の短絡を抑制できる。これらにより、電池の信頼性を、より向上させることができる。
【０２６１】
なお、実施の形態３における電池３０００は、第２対極層５２２をさらに備えてもよい。
【０２６２】
第２対極層５２２は、第１電極層５１１および第２電極層５１２の対極である。
【０２６３】
第１絶縁体１１０は、第４電解質部分３０４と、第３折曲部分２３０と、を有してもよい。
【０２６４】
第３折曲部分２３０は、第３電解質部分３０３と第４電解質部分３０４との間に、位置する。
【０２６５】
第２対極層５２２は、第４電解質部分３０４に接して、配置される。
【０２６６】
第１絶縁体１１０が第３折曲部分２３０において折り曲げられている。これにより、第２電極層５１２と第２対極層５２２とは、互いに対向して、位置する。
【０２６７】
以上の構成によれば、電池の構成部材の間の接合強度を、より高めることができる。すなわち、第３折曲部分２３０により互いに連結される第３電解質部分３０３と第４電解質部分３０４とに、それぞれ、第２電極層５１２と第２対極層５２２とを、配置することができる。これにより、第３電解質部分３０３に配置される第２電極層５１２と第４電解質部分３０４に配置される第２対極層５２２との位置関係を、第３折曲部分２３０により（言い換えれば、１つの構成部材である第１絶縁体１１０により）、強固に維持することができる。これにより、例えば、電池製造時または電池使用時における衝撃または振動などによって、電池を構成する各層（例えば、第２電極層５１２と第２対極層５２２）が位置ずれまたは分離することを防止できる。
【０２６８】
また、以上の構成によれば、電池の側面のうち、第３折曲部分２３０が位置する側面を、第３折曲部分２３０により、覆うことができる。これにより、電池外部に存在しうる部材（例えば、別の電池、など）と、第３折曲部分２３０が位置する電池の側面とが、互いに接触することを、第３折曲部分２３０により、防ぐことができる。したがって、電池同士の接触による短絡を抑制できる。また、電池と電池外部に存在しうる部材との接触による電池の側面の部分的な破壊を抑制できる。また、電池の側面の一部が第３折曲部分２３０により覆われることで、電池の構成部材（例えば、第２電極層５１２に含まれる電極材料、第２対極層５２２に含まれる対極材料、など）の一部が崩落した場合であっても、第３折曲部分２３０により、当該崩落した構成部材が、電池内部の別の単電池セル部分または電池外部に移動することを抑制できる。したがって、電池の構成部材の崩落による、電池内部の短絡を抑制できる。これらにより、電池の信頼性を、より向上させることができる。
【０２６９】
なお、実施の形態３における電池３０００は、第１集電体６１０と、第２集電体６２０と、をさらに備えてもよい。
【０２７０】
第１集電体６１０は、第１電極層５１１と第１対極層５２１との間に、第１電極層５１１と第１対極層５２１とに接して、配置される。
【０２７１】
第２集電体６２０は、第２電極層５１２と第２対極層５２２との間に、第２電極層５１２と第２対極層５２２とに接して、配置される。
【０２７２】
以上の構成によれば、第２電極層５１２と第１対極層５２１とを含む発電要素（第１発電要素５０１）と、他の発電要素（例えば、第１電極層５１１または第２対極層５２２を備える発電要素）とを、第１集電体６１０と第２集電体６２０とを介して、直列接続で積層することができる。
【０２７３】
図３１は、実施の形態３における電池３１００の概略構成を示すｘ−ｚ図（断面図）である。
【０２７４】
実施の形態３における電池３１００は、上述の実施の形態３における電池３０００の構成に加えて、下記の構成をさらに備える。
【０２７５】
すなわち、実施の形態３における電池３１００は、第３電極層５１３と、第３対極層５２３と、をさらに備える。
【０２７６】
第３対極層５２３は、第１電極層５１１および第２電極層５１２および第３電極層５１３の対極である。
【０２７７】
第１絶縁体１１０は、第５電解質部分３０５と、第６電解質部分３０６と、第４折曲部分２４０と、第５折曲部分２５０と、を有する。
【０２７８】
第４折曲部分２４０は、第４電解質部分３０４と第５電解質部分３０５との間に、位置する。
【０２７９】
第５折曲部分２５０は、第５電解質部分３０５と第６電解質部分３０６との間に、位置する。
【０２８０】
第４電解質部分３０４は、第３表面領域４１３と、第３裏面領域４２３と、を有する。
【０２８１】
第３裏面領域４２３は、第３表面領域４１３の裏面に位置する領域である。
【０２８２】
第２対極層５２２は、第３表面領域４１３に接して、配置される。
【０２８３】
第５電解質部分３０５は、第４表面領域４１４と、第４裏面領域４２４と、を有する。
【０２８４】
第４裏面領域４２４は、第４表面領域４１４の裏面に位置する領域である。
【０２８５】
第１絶縁体１１０が第４折曲部分２４０において折り曲げられている。これにより、第３裏面領域４２３と第４裏面領域４２４とは、互いに対向して、位置する。
【０２８６】
第３裏面領域４２３と第４裏面領域４２４とは、互いに、接触する。
【０２８７】
第３電極層５１３は、第４表面領域４１４に接して、配置される。
【０２８８】
第３対極層５２３は、第６電解質部分３０６に接して、配置される。
【０２８９】
第１絶縁体１１０が第５折曲部分２５０において折り曲げられている。これにより、第３電極層５１３と第３対極層５２３とは、互いに対向して、位置する。
【０２９０】
以上の構成によれば、電池の構成部材の間の接合強度を、より高めることができる。すなわち、第４折曲部分２４０により互いに連結される第４電解質部分３０４と第５電解質部分３０５とに、それぞれ、第３電極層５１３と第２対極層５２２とを、配置することができる。これにより、第４電解質部分３０４に配置される第２対極層５２２と第５電解質部分３０５に配置される第３電極層５１３との位置関係を、第４折曲部分２４０により（言い換えれば、１つの構成部材である第１絶縁体１１０により）、強固に維持することができる。これにより、例えば、電池製造時または電池使用時における衝撃または振動などによって、電池を構成する各層（例えば、第３電極層５１３と第２対極層５２２）が位置ずれまたは分離することを防止できる。
【０２９１】
また、以上の構成によれば、電池の側面のうち、第５折曲部分２５０が位置する側面を、第５折曲部分２５０により、覆うことができる。これにより、電池外部に存在しうる部材（例えば、別の電池、など）と、第５折曲部分２５０が位置する電池の側面とが、互いに接触することを、第５折曲部分２５０により、防ぐことができる。したがって、電池同士の接触による短絡を抑制できる。また、電池と電池外部に存在しうる部材との接触による電池の側面の部分的な破壊を抑制できる。また、電池の側面の一部が第５折曲部分２５０により覆われることで、電池の構成部材（例えば、第３電極層５１３に含まれる電極材料、第３対極層５２３に含まれる対極材料、など）の一部が崩落した場合であっても、第５折曲部分２５０により、当該崩落した構成部材が、電池内部の別の単電池セル部分または電池外部に移動することを抑制できる。したがって、電池の構成部材の崩落による、電池内部の短絡を抑制できる。これらにより、電池の信頼性を、より向上させることができる。
【０２９２】
なお、実施の形態３における電池３１００は、第１集電体６１０と、第２集電体６２０と、第３集電体６３０と、をさらに備えてもよい。
【０２９３】
第１集電体６１０は、第１電極層５１１と第１対極層５２１との間に、第１電極層５１１と第１対極層５２１とに接して、配置される。
【０２９４】
第２集電体６２０は、第２電極層５１２と第２対極層５２２との間に、第２電極層５１２と第２対極層５２２とに接して、配置される。
【０２９５】
第３集電体６３０は、第３電極層５１３と第３対極層５２３との間に、第３電極層５１３と第３対極層５２３とに接して、配置される。
【０２９６】
以上の構成によれば、第１絶縁体１１０を用いて、積層型電池を構成することができる。すなわち、第２電極層５１２と第１対極層５２１とを含む第１発電要素５０１と、第３電極層５１３と第２対極層５２２とを含む第２発電要素５０２とを、第２集電体６２０を介して、直列接続で積層することができる。すなわち、第１発電要素５０１と第２発電要素５０２の各構成部材との位置関係を、第１絶縁体１１０の各折曲部分により強固に維持しながら、第１発電要素５０１と第２発電要素５０２との直列接続により電池電圧を高めることができる。
【０２９７】
なお、図３１に示されるように、第２折曲部分２２０と第４折曲部分２４０の長さは、第１折曲部分２１０と第３折曲部分２３０と第５折曲部分２５０の長さよりも、短くてもよい。もしくは、第２折曲部分２２０と第４折曲部分２４０の長さは、第１折曲部分２１０と第３折曲部分２３０と第５折曲部分２５０の長さと、同じか、もしくは、長くてもよい。
【０２９８】
なお、第２電解質部分３０２と第３電解質部分３０３との構成（例えば、厚み、面積、形状、含有材料、など）は、互いに、同じであってもよいし、異なっていてもよい。
【０２９９】
また、第４電解質部分３０４と第５電解質部分３０５との構成（例えば、厚み、面積、形状、含有材料、など）は、互いに、同じであってもよいし、異なっていてもよい。
【０３００】
なお、図３１に示されるように、第２電解質部分３０２と第３電解質部分３０３とのうちの少なくとも一方（例えば、両方）は、第１集電体６１０と第２集電体６２０よりも広い範囲に、配置されてもよい。これにより、第１集電体６１０と第２集電体６２０との短絡を、第２電解質部分３０２と第３電解質部分３０３とのうちの少なくとも一方により、防止できる。
【０３０１】
また、図３１に示されるように、第４電解質部分３０４と第５電解質部分３０５とのうちの少なくとも一方（例えば、両方）は、第２集電体６２０と第３集電体６３０よりも広い範囲に、配置されてもよい。これにより、第２集電体６２０と第３集電体６３０との短絡を、第４電解質部分３０４と第５電解質部分３０５とのうちの少なくとも一方により、防止できる。
【０３０２】
図３２は、実施の形態３における電池３２００の概略構成を示す断面図である。
【０３０３】
実施の形態３においては、図３２に示されるように、４つ以上の発電要素が積層されて、電池が構成されてもよい。
【０３０４】
図３２に示される電池３２００においては、第３集電体６３０の上に、さらに３つ目以降の発電要素が積層される。複数の発電要素（単電池）が直列に接続されたバイポーラ電池であれば、例えば、高電圧を得ることができる。
【０３０５】
実施の形態３における電池を構成する発電要素の積層数は、例えば、２〜２００個であってもよい。発電要素の積層数を調整することで、電池の用途（電子機器、電気器具装置、電気車輌、定置蓄電池、など）に応じた出力の調整を実現できる。
【０３０６】
図３３は、実施の形態３における電池３３００の概略構成を示す断面図である。
【０３０７】
実施の形態３においては、図３３に示されるように、複数の折曲部分（例えば、第１折曲部分２１０と第３折曲部分２３０と第５折曲部分２５０）は、互いに接合されるように、折り曲げ接合されてもよい。これにより、複数の折曲部分を壁状に一体化することができる。このため、複数の発電要素が直列接続された構造を、より強固に保持することができる。
【０３０８】
なお、実施の形態３における電池の製造方法は、後述の実施の形態５として、説明される。
【０３０９】
（実施の形態４）
以下、実施の形態４が説明される。上述の実施の形態１から３のいずれかと重複する説明は、適宜、省略される。
【０３１０】
図３４は、実施の形態４における電池４０００の概略構成を示す斜視図である。
【０３１１】
図３５は、実施の形態４における電池４０００の概略構成を示すｘ−ｚ図（３４Ａ断面図）である。
【０３１２】
図３６は、実施の形態４における電池４０００の概略構成を示すｙ−ｚ図（３４Ｂ断面図）である。
【０３１３】
実施の形態４における電池４０００は、上述の実施の形態３における電池３０００の構成に加えて、下記の構成をさらに備える。
【０３１４】
すなわち、実施の形態４における電池４０００は、第２絶縁体１２０と、第２対極層５２２と、第３電極層５１３と、第３対極層５２３と、をさらに備える。
【０３１５】
第２対極層５２２と第３対極層５２３は、第１電極層５１１および第２電極層５１２および第３電極層５１３の対極である。
【０３１６】
第２絶縁体１２０は、第４電解質部分３０４と、第５電解質部分３０５と、第６電解質部分３０６と、第３折曲部分２３０と、第４折曲部分２４０と、を有する。
【０３１７】
第３折曲部分２３０は、第４電解質部分３０４と第５電解質部分３０５との間に、位置する。
【０３１８】
第４折曲部分２４０は、第５電解質部分３０５と第６電解質部分３０６との間に、位置する。
【０３１９】
第４電解質部分３０４は、第３表面領域４１３と、第３裏面領域４２３と、を有する。
【０３２０】
第３裏面領域４２３は、第３表面領域４１３の裏面に位置する領域である。
【０３２１】
第５電解質部分３０５は、第４表面領域４１４と、第４裏面領域４２４と、を有する。
【０３２２】
第４裏面領域４２４は、第４表面領域４１４の裏面に位置する領域である。
【０３２３】
第２絶縁体１２０が第３折曲部分２３０において折り曲げられている。これにより、第３裏面領域４２３と第４裏面領域４２４とは、互いに、対向して位置する。
【０３２４】
第４電解質部分３０４と第５電解質部分３０５とは、第１電解質部分３０１と第２電解質部分３０２との間に、配置される。
【０３２５】
第２対極層５２２は、第３表面領域４１３に接して、第１電極層５１１と対向する位置に、配置される。
【０３２６】
第３電極層５１３は、第４表面領域４１４に接して、第１対極層５２１と対向する位置に、配置される。
【０３２７】
第３対極層５２３は、第６電解質部分３０６に接して、配置される。
【０３２８】
第２絶縁体１２０が第４折曲部分２４０において折り曲げられている。これにより、第２電極層５１２と第３対極層５２３とは、互いに対向して、位置する。
【０３２９】
以上の構成によれば、電池の構成部材の間の接合強度を、より高めることができる。すなわち、第４折曲部分２４０により互いに連結される第５電解質部分３０５と第６電解質部分３０６とに、それぞれ、第３電極層５１３と第３対極層５２３とを、配置することができる。さらに、第４電解質部分３０４および第５電解質部分３０５（すなわち、第２絶縁体１２０の一部の領域であり、かつ、第３折曲部分２３０により連結している２つの領域）に、それぞれ、第２対極層５２２と第３電極層５１３とを、配置することができる。これにより、それぞれの電極層と対極層とを、互いに、第１折曲部分２１０から第４折曲部分２４０のそれぞれにより、強固に連結させることができる。このため、第１発電要素５０１（すなわち、第３電極層５１３と第２対極層５２２とを含む発電要素）と第２発電要素５０２（すなわち、第２電極層５１２と第１対極層５２１とを含む発電要素）とを強固に連結させながら、これらの発電要素が直列接続されてなる電池を実現できる。
【０３３０】
また、以上の構成によれば、電池の側面のうち、第４折曲部分２４０が位置する側面（第１折曲部分２１０が位置する側面とは異なる電池の側面）を、第４折曲部分２４０により、覆うことができる。これにより、第１折曲部分２１０と第４折曲部分２４０とにより、より多くの電池側面を覆うことができる。このため、電池の信頼性を、より向上させることができる。
【０３３１】
なお、実施の形態４における電池４０００においては、第３裏面領域４２３と第４裏面領域４２４とは、互いに、接していてもよい。
【０３３２】
なお、実施の形態４における電池４０００は、第１集電体６１０と、第２集電体６２０と、第３集電体６３０と、をさらに備えてもよい。
【０３３３】
第１集電体６１０は、第１電極層５１１と第２対極層５２２の間に、第１電極層５１１と第２対極層５２２とに接して、配置される。
【０３３４】
第２集電体６２０は、第３電極層５１３と第１対極層５２１の間に、第３電極層５１３と第１対極層５２１とに接して、配置される。
【０３３５】
第３集電体６３０は、第２電極層５１２と第３対極層５２３の間に、第２電極層５１２と第３対極層５２３とに接して、配置される。
【０３３６】
以上の構成によれば、それぞれの発電要素を、それぞれの集電体を介して、互いに、直列接続で積層することができる。
【０３３７】
図３７は、実施の形態４における電池４１００の概略構成を示す斜視図である。
【０３３８】
図３８は、実施の形態４における電池４１００の概略構成を示すｘ−ｚ図（３７Ａ断面図）である。
【０３３９】
図３９は、実施の形態４における電池４１００の概略構成を示すｙ−ｚ図（３７Ｂ断面図）である。
【０３４０】
実施の形態４における電池４１００は、上述の実施の形態４における電池４０００の構成に加えて、下記の構成をさらに備える。
【０３４１】
すなわち、実施の形態４における電池４１００は、第３絶縁体１３０と、第４電極層５１４と、第４対極層５２４と、第５電極層５１５と、第５対極層５２５と、を備える。
【０３４２】
第４対極層５２４と第５対極層５２５は、第１電極層５１１および第２電極層５１２および第３電極層５１３および第４電極層５１４および第５電極層５１５の対極である。
【０３４３】
第３絶縁体１３０は、第７電解質部分３０７と、第８電解質部分３０８と、第９電解質部分３０９と、第５折曲部分２５０と、第６折曲部分２６０と、を有する。
【０３４４】
第５折曲部分２５０は、第７電解質部分３０７と第８電解質部分３０８との間に、位置する。
【０３４５】
第６折曲部分２６０は、第８電解質部分３０８と第９電解質部分３０９との間に、位置する。
【０３４６】
第７電解質部分３０７は、第５表面領域４１５と、第５裏面領域４２５と、を有する。
【０３４７】
第５裏面領域４２５は、第５表面領域４１５の裏面に位置する領域である。
【０３４８】
第８電解質部分３０８は、第６表面領域４１６と、第６裏面領域４２６と、を有する。
【０３４９】
第６裏面領域４２６は、第６表面領域４１６の裏面に位置する領域である。
【０３５０】
第３絶縁体１３０が第５折曲部分２５０において折り曲げられている。これにより、第５裏面領域４２５と第６裏面領域４２６とは、互いに、対向して位置する。
【０３５１】
第７電解質部分３０７と第８電解質部分３０８とは、第５電解質部分３０５と第２電解質部分３０２との間に、配置される。
【０３５２】
第４電極層５１４は、第６電解質部分３０６に接して、配置される。
【０３５３】
第４対極層５２４は、第５表面領域４１５に接して、第３電極層５１３と対向する位置に、配置される。
【０３５４】
第５電極層５１５は、第６表面領域４１６に接して、第１対極層５２１と対向する位置に、配置される。
【０３５５】
第５対極層５２５は、第９電解質部分３０９に接して、配置される。
【０３５６】
第３絶縁体１３０が第６折曲部分２６０において折り曲げられている。これにより、第４電極層５１４と第５対極層５２５とは、互いに対向して、位置する。
【０３５７】
以上の構成によれば、電池の構成部材の間の接合強度を、より高めることができる。すなわち、第６折曲部分２６０により互いに連結される第８電解質部分３０８と第９電解質部分３０９とに、それぞれ、第５電極層５１５と第５対極層５２５とを、配置することができる。さらに、第７電解質部分３０７および第８電解質部分３０８（すなわち、第３絶縁体１３０の一部の領域であり、かつ、第５折曲部分２５０により連結している２つの領域）に、それぞれ、第４対極層５２４と第５電極層５１５とを、配置することができる。これにより、それぞれの電極層と対極層とを、互いに、第１折曲部分２１０から第６折曲部分２６０のそれぞれにより、強固に連結させることができる。このため、第１発電要素５０１（すなわち、第３電極層５１３と第２対極層５２２とを含む発電要素）と第２発電要素５０２（すなわち、第５電極層５１５と第４対極層５２４とを含む発電要素）と第３発電要素５０３（すなわち、第２電極層５１２と第１対極層５２１とを含む発電要素）と第４発電要素５０４（すなわち、第４電極層５１４と第３対極層５２３とを含む発電要素）とを強固に連結させながら、これらの発電要素が直列接続されてなる電池を実現できる。
【０３５８】
また、以上の構成によれば、電池の側面のうち、第６折曲部分２６０が位置する側面（第１折曲部分２１０と第４折曲部分２４０とが位置する側面とは異なる電池の側面）を、第６折曲部分２６０により、覆うことができる。これにより、第１折曲部分２１０と第４折曲部分２４０と第６折曲部分２６０とにより、より多くの電池側面を覆うことができる。このため、電池の信頼性を、より向上させることができる。
【０３５９】
なお、実施の形態４における電池４１００においては、第５裏面領域４２５と第６裏面領域４２６とは、互いに、接していてもよい。
【０３６０】
なお、実施の形態４における電池４１００は、第１集電体６１０と、第２集電体６２０と、第３集電体６３０と、第４集電体６４０と、第５集電体６５０と、をさらに備える。
【０３６１】
第１集電体６１０は、第１電極層５１１と第２対極層５２２の間に、第１電極層５１１と第２対極層５２２とに接して、配置される。
【０３６２】
第２集電体６２０は、第３電極層５１３と第４対極層５２４の間に、第３電極層５１３と第４対極層５２４とに接して、配置される。
【０３６３】
第３集電体６３０は、第５電極層５１５と第１対極層５２１の間に、第５電極層５１５と第１対極層５２１とに接して、配置される。
【０３６４】
第４集電体６４０は、第２電極層５１２と第３対極層５２３の間に、第２電極層５１２と第３対極層５２３とに接して、配置される。
【０３６５】
第５集電体６５０は、第４電極層５１４と第５対極層５２５の間に、第４電極層５１４と第５対極層５２５とに接して、配置される。
【０３６６】
以上の構成によれば、それぞれの発電要素を、それぞれの集電体を介して、互いに、直列接続で積層することができる。
【０３６７】
図４０は、実施の形態４における電池４２００の概略構成を示す斜視図である。
【０３６８】
図４１は、実施の形態４における電池４２００の概略構成を示すｘ−ｚ図（４０Ａ断面図）である。
【０３６９】
図４２は、実施の形態４における電池４２００の概略構成を示すｙ−ｚ図（４０Ｂ断面図）である。
【０３７０】
実施の形態４における電池４２００は、上述の実施の形態４における電池４１００の構成に加えて、下記の構成をさらに備える。
【０３７１】
すなわち、実施の形態４における電池４２００は、第４絶縁体１４０と、第６電極層５１６と、第６対極層５２６と、第７電極層５１７と、第７対極層５２７と、を備える。
【０３７２】
第６対極層５２６と第７対極層５２７は、第１電極層５１１および第２電極層５１２および第３電極層５１３および第４電極層５１４および第５電極層５１５および第６電極層５１６および第７電極層５１７の対極である。
【０３７３】
第４絶縁体１４０は、第１０電解質部分３１０と、第１１電解質部分３１１と、第１２電解質部分３１２と、第７折曲部分２７０と、第８折曲部分２８０と、を有する。
【０３７４】
第７折曲部分２７０は、第１０電解質部分３１０と第１１電解質部分３１１との間に、位置する。
【０３７５】
第８折曲部分２８０は、第１１電解質部分３１１と第１２電解質部分３１２との間に、位置する。
【０３７６】
第１０電解質部分３１０は、第７表面領域４１７と、第７裏面領域４２７と、を有する。
【０３７７】
第７裏面領域４２７は、第７表面領域４１７の裏面に位置する領域である。
【０３７８】
第１１電解質部分３１１は、第８表面領域４１８と、第８裏面領域４２８と、を有する。
【０３７９】
第８裏面領域４２８は、第８表面領域４１８の裏面に位置する領域である。
【０３８０】
第４絶縁体１４０が第７折曲部分２７０において折り曲げられている。これにより、第７裏面領域４２７と第８裏面領域４２８とは、互いに、対向して位置する。
【０３８１】
第１０電解質部分３１０と第１１電解質部分３１１とは、第８電解質部分３０８と第２電解質部分３０２との間に、配置される。
【０３８２】
第６電極層５１６は、第９電解質部分３０９に接して、配置される。
【０３８３】
第６対極層５２６は、第７表面領域４１７に接して、第５電極層５１５と対向する位置に、配置される。
【０３８４】
第７電極層５１７は、第８表面領域４１８に接して、第１対極層５２１と対向する位置に、配置される。
【０３８５】
第７対極層５２７は、第１２電解質部分３１２に接して、配置される。
【０３８６】
第４絶縁体１４０が第８折曲部分２８０において折り曲げられている。これにより、第６電極層５１６と第７対極層５２７とは、互いに対向して、位置する。
【０３８７】
以上の構成によれば、電池の構成部材の間の接合強度を、より高めることができる。すなわち、第８折曲部分２８０により互いに連結される第１１電解質部分３１１と第１２電解質部分３１２とに、それぞれ、第６電極層５１６と第７対極層５２７とを、配置することができる。さらに、第１０電解質部分３１０および第１１電解質部分３１１（すなわち、第４絶縁体１４０の一部の領域であり、かつ、第７折曲部分２７０により連結している２つの領域）に、それぞれ、第４対極層５２４と第５電極層５１５とを、配置することができる。これにより、それぞれの電極層と対極層とを、互いに、第１折曲部分２１０から第８折曲部分２８０のそれぞれにより、強固に連結させることができる。このため、第１発電要素５０１（すなわち、第３電極層５１３と第２対極層５２２とを含む発電要素）と第２発電要素５０２（すなわち、第５電極層５１５と第４対極層５２４とを含む発電要素）と第３発電要素５０３（すなわち、第６電極層５１６と第６対極層５２６とを含む発電要素）と第４発電要素５０４（すなわち、第２電極層５１２と第１対極層５２１とを含む発電要素）と第５発電要素５０５（すなわち、第４電極層５１４と第３対極層５２３とを含む発電要素）と第６発電要素５０６（すなわち、第６電極層５１６と第５対極層５２５とを含む発電要素）とを強固に連結させながら、これらの発電要素が直列接続されてなる電池を実現できる。
【０３８８】
また、以上の構成によれば、電池の側面のうち、第８折曲部分２８０が位置する側面（第１折曲部分２１０と第４折曲部分２４０と第６折曲部分２６０とが位置する側面とは異なる電池の側面）を、第８折曲部分２８０により、覆うことができる。これにより、第１折曲部分２１０と第４折曲部分２４０と第６折曲部分２６０と第８折曲部分２８０とにより、より多くの電池側面を覆うことができる。このため、電池の信頼性を、より向上させることができる。
【０３８９】
なお、実施の形態４における電池４２００においては、第７裏面領域４２７と第８裏面領域４２８とは、互いに、接していてもよい。
【０３９０】
なお、実施の形態４における電池４２００は、第１集電体６１０と、第２集電体６２０と、第３集電体６３０と、第４集電体６４０と、第５集電体６５０と、第６集電体６６０と、第７集電体６７０と、をさらに備えてもよい。
【０３９１】
第１集電体６１０は、第１電極層５１１と第２対極層５２２の間に、第１電極層５１１と第２対極層５２２とに接して、配置される。
【０３９２】
第２集電体６２０は、第３電極層５１３と第４対極層５２４の間に、第３電極層５１３と第４対極層５２４とに接して、配置される。
【０３９３】
第３集電体６３０は、第５電極層５１５と第６対極層５２６の間に、第５電極層５１５と第６対極層５２６とに接して、配置される。
【０３９４】
第４集電体６４０は、第７電極層５１７と第１対極層５２１の間に、第７電極層５１７と第１対極層５２１とに接して、配置される。
【０３９５】
第５集電体６５０は、第２電極層５１２と第３対極層５２３の間に、第２電極層５１２と第３対極層５２３とに接して、配置される。
【０３９６】
第６集電体６６０は、第４電極層５１４と第５対極層５２５の間に、第４電極層５１４と第５対極層５２５とに接して、配置される。
【０３９７】
第７集電体６７０は、第６電極層５１６と第７対極層５２７の間に、第６電極層５１６と第７対極層５２７とに接して、配置される。
【０３９８】
以上の構成によれば、それぞれの発電要素を、それぞれの集電体を介して、互いに、直列接続で積層することができる。
【０３９９】
なお、第４電解質部分３０４と第５電解質部分３０５と第６電解質部分３０６とは、第２絶縁体１２０の基材に、電解質材料が設けられることで、形成される部分である。
【０４００】
なお、第７電解質部分３０７と第８電解質部分３０８と第９電解質部分３０９とは、第３絶縁体１３０の基材に、電解質材料が設けられることで、形成される部分である。
【０４０１】
なお、第１０電解質部分３１０と第１１電解質部分３１１と第１２電解質部分３１２とは、第４絶縁体１４０の基材に、電解質材料が設けられることで、形成される部分である。
【０４０２】
なお、第１電解質部分３０１から第１２電解質部分３１２のそれぞれの構成（例えば、厚み、面積、形状、含有材料、など）は、互いに、同じであってもよいし、異なっていてもよい。
【０４０３】
また、第１電解質部分３０１から第１２電解質部分３１２は、それぞれ、第１電極層５１１から第７電極層５１７のいずれよりも広い範囲に、かつ、第１対極層５２１から第７対極層５２７のいずれよりも広い範囲に、形成されてもよい。これにより、各電極層と各対極層との直接接触による短絡を防止できる。
【０４０４】
なお、第７電解質部分３０７と第８電解質部分３０８とは、互いに、所定の間隔を空けて、島状に配置されてもよい。このとき、第７電解質部分３０７と第８電解質部分３０８との間に位置する基材の部分（電解質材料が配置されない部分）は、第５折曲領域７５０となる。第５折曲部分２５０は、第５折曲領域７５０が折り曲げられることで形成される部分である。
【０４０５】
なお、第８電解質部分３０８と第９電解質部分３０９とは、互いに、所定の間隔を空けて、島状に配置されてもよい。このとき、第８電解質部分３０８と第９電解質部分３０９との間に位置する基材の部分（電解質材料が配置されない部分）は、第６折曲領域７６０となる。第６折曲部分２６０は、第６折曲領域７６０が折り曲げられることで形成される部分である。
【０４０６】
なお、第１０電解質部分３１０と第１１電解質部分３１１とは、互いに、所定の間隔を空けて、島状に配置されてもよい。このとき、第１０電解質部分３１０と第１１電解質部分３１１との間に位置する基材の部分（電解質材料が配置されない部分）は、第７折曲領域７７０となる。第７折曲部分２７０は、第７折曲領域７７０が折り曲げられることで形成される部分である。
【０４０７】
なお、第１１電解質部分３１１と第１２電解質部分３１２とは、互いに、所定の間隔を空けて、島状に配置されてもよい。このとき、第１１電解質部分３１１と第１２電解質部分３１２との間に位置する基材の部分（電解質材料が配置されない部分）は、第８折曲領域７８０となる。第８折曲部分２８０は、第８折曲領域７８０が折り曲げられることで形成される部分である。
【０４０８】
なお、第１折曲部分２１０から第８折曲部分２８０のそれぞれの構成（例えば、厚み、面積、形状、含有材料、など）は、互いに、同じであってもよいし、異なっていてもよい。
【０４０９】
なお、第７電極層５１７は、電極材料（例えば、活物質）を含む層である。第１電極層５１１から第７電極層５１７のそれぞれの構成（例えば、厚み、形成面積、形状、含有材料、など）は、互いに、同じであってもよいし、異なっていてもよい。
【０４１０】
また、第１電極層５１１から第７電極層５１７は、それぞれ、第１集電体６１０から第７集電体６７０のいずれよりも狭い範囲に、形成されてもよい。
【０４１１】
なお、第７対極層５２７は、電極材料（例えば、活物質）を含む層である。第１対極層５２１から第７対極層５２７のそれぞれの構成（例えば、厚み、形成面積、形状、含有材料、など）は、互いに、同じであってもよいし、異なっていてもよい。
【０４１２】
また、第１対極層５２１から第７対極層５２７は、それぞれ、第１集電体６１０から第７集電体６７０のいずれよりも狭い範囲に、形成されてもよい。
【０４１３】
また、第７集電体６７０は、導電性を有する部材である。第１集電体６１０から第７集電体６７０のそれぞれの構成（例えば、各層の厚み、形成面積、形状、含有材料、など）は、互いに、同じであってもよいし、異なっていてもよい。
【０４１４】
第６発電要素５０６は、例えば、充電および放電の特性を有する発電部（例えば、二次電池）である。例えば、第６発電要素５０６は、単電池セルであってもよい。
【０４１５】
なお、第６発電要素５０６は、固体電解質を含んでもよい。すなわち、第６発電要素５０６は、全固体電池であってもよい。
【０４１６】
なお、第１電極層５１１と第２電極層５１２と第３電極層５１３と第４電極層５１４と第５電極層５１５と第６電極層５１６と第７電極層５１７は負極活物質層であってもよい。このとき、電極材料は負極活物質である。第１集電体６１０と第２集電体６２０と第３集電体６３０と第４集電体６４０と第５集電体６５０と第６集電体６６０と第７集電体６７０はバイポーラ集電体である。第１対極層５２１と第２対極層５２２と第３対極層５２３と第４対極層５２４と第５対極層５２５と第６対極層５２６と第７対極層５２７は正極活物質層である。対極材料は正極活物質である。このとき、第１電解質部分３０１（例えば、第１電解質部分３０１の主面のうちの第１電極層５１１が配置されない主面）に接して、正極活物質層が配置されてもよい。さらに、当該正極活物質層に接して、正極集電体が配置されてもよい。また、第１２電解質部分３１２（例えば、第１２電解質部分３１２の主面のうちの第７対極層５２７が配置されない主面）に接して、負極活物質層が配置されてもよい。さらに、当該負極活物質層に接して、負極集電体が配置されてもよい。
【０４１７】
もしくは、第１電極層５１１と第２電極層５１２と第３電極層５１３と第４電極層５１４と第５電極層５１５と第６電極層５１６と第７電極層５１７は正極活物質層であってもよい。このとき、電極材料は正極活物質である。第１集電体６１０と第２集電体６２０と第３集電体６３０と第４集電体６４０と第５集電体６５０と第６集電体６６０と第７集電体６７０はバイポーラ集電体である。第１対極層５２１と第２対極層５２２と第３対極層５２３と第４対極層５２４と第５対極層５２５と第６対極層５２６と第７対極層５２７は負極活物質層である。対極材料は負極活物質である。このとき、第１電解質部分３０１（例えば、第１電解質部分３０１の主面のうちの第１電極層５１１が配置されない主面）に接して、負極活物質層が配置されてもよい。さらに、当該負極活物質層に接して、負極集電体が配置されてもよい。また、第１２電解質部分３１２（例えば、第１２電解質部分３１２の主面のうちの第７対極層５２７が配置されない主面）に接して、正極活物質層が配置されてもよい。さらに、当該正極活物質層に接して、正極集電体が配置されてもよい。
【０４１８】
なお、実施の形態４における電池の製造方法は、後述の実施の形態５として、説明される。
【０４１９】
なお、実施の形態１から４においては、積層電池の側面（例えば、各絶縁部分よりも外側の部分）の一部（または、全部）は、各絶縁部分とは異なる絶縁材料（例えば、封止材）で被覆されてもよい。これにより、直列接続された発電要素を、より強固に封止することができる。このとき、封止材は、例えば、防湿性のラミネートシートであってもよい。これにより、発電要素が水分によって劣化することを、封止材によって、防止できる。また、積層電池は、封止ケースに内包されてもよい。封止ケースとしては、一般に公知の電池用ケース（例えば、ラミネート袋、金属缶、樹脂ケース、など）が用いられうる。
【０４２０】
また、実施の形態１から４における電池は、一対の外部電極をさらに備えてもよい。一対の外部電極は、積層電池の全体が封止材により封止される場合には、積層電池の上下面（または、側面）の外側に突出してもよい。外部電極の一方は、例えば、積層電池の一方の端に位置する集電体に接続されてもよい。このとき、外部電極のもう一方は、例えば、積層電池のもう一方の端に位置する集電体に接続されてもよい。これにより、一対の外部電極に接続される負荷への放電、および、一対の外部電極に接続される充電装置により電池（各発電要素）の充電が可能となる。
【０４２１】
（実施の形態５）
以下、実施の形態５が説明される。上述の実施の形態１から４のいずれかと重複する説明は、適宜、省略される。
【０４２２】
図４３は、実施の形態５における電池製造装置５０００の概略構成を示す図である。
【０４２３】
実施の形態５における電池製造装置５０００は、電極層形成部８１０と、対極層形成部８２０と、絶縁体折曲部８３０と、集電体形成部８４０と、を備える。
【０４２４】
電極層形成部８１０は、各絶縁体に、各電極層を形成する。各電極層の形成位置は、上述の実施の形態１から４のいずれかにおいて説明された位置である。
【０４２５】
対極層形成部８２０は、各絶縁体に、各対極層を形成する。各対極層の形成位置は、上述の実施の形態１から４のいずれかにおいて説明された位置である。
【０４２６】
絶縁体折曲部８３０は、各絶縁体（すなわち、各折曲領域）を折り曲げる。絶縁体折曲部８３０は、各折曲領域を折り曲げることで、各折曲部分を形成する。
【０４２７】
集電体形成部８４０は、集電体を形成する。各集電体の形成位置は、上述の実施の形態１から４のいずれかにおいて説明された位置である。
【０４２８】
図４４は、実施の形態５における電池製造方法の一例を示すフローチャートである。
【０４２９】
実施の形態５における電池製造方法は、実施の形態５における電池製造装置を用いた電池製造方法である。例えば、実施の形態５における電池製造方法は、実施の形態５における電池製造装置において実行される電池製造方法である。
【０４３０】
実施の形態５における電池製造方法は、第１絶縁体準備工程Ｓ１１０１と、集電体形成工程Ｓ１２００と、折曲領域折曲工程Ｓ１３００と、を包含する。
【０４３１】
第１絶縁体準備工程Ｓ１１０１は、電極層形成部８１０と対極層形成部８２０とにより、第１絶縁体１１０に、各電極層と各対極層を形成する工程である。
【０４３２】
集電体形成工程Ｓ１２００は、集電体形成部８４０により、各集電体を形成する工程である。
【０４３３】
折曲領域折曲工程Ｓ１３００は、絶縁体折曲部８３０により、各折曲領域を折り曲げる工程である。
【０４３４】
以下に、実施の形態５における電池製造方法の具体的な一例が、説明される。
【０４３５】
図４５は、実施の形態５における第１絶縁体１１０の一例の概略構成を示す図である。
【０４３６】
図４５（ａ）は、実施の形態５における第１絶縁体１１０の一例の概略構成を示すｘ−ｚ図（４５Ａ断面図）である。
【０４３７】
図４５（ｂ）は、実施の形態５における第１絶縁体１１０の一例の概略構成を示すｘ−ｙ図（上面図）である。
【０４３８】
図４６は、集電体形成工程Ｓ１２００と折曲領域折曲工程Ｓ１３００の一例を示す図である。
【０４３９】
第１絶縁体準備工程Ｓ１１０１が実行されることで、図４５に示される第１絶縁体１１０に、図４６に示されるように、各電極層と各対極層とが形成される。このとき、各電極層と各対極層とは、第１絶縁体１１０の両面に、形成される。
【０４４０】
電極層形成部８１０は、例えば、塗工材料（すなわち、各電極層を構成する電極材料と溶媒とを共に練り込んだペースト状の塗料）を、予め準備された第１絶縁体１１０の主面に、塗工してもよい。その後、塗工材料は乾燥されてもよい。さらに、塗工材料は、乾燥後にプレスされてもよい。これにより、各電極層における材料の密度を高めることができる。
【０４４１】
対極層形成部８２０は、例えば、塗工材料（すなわち、各対極層を構成する対極材料と溶媒とを共に練り込んだペースト状の塗料）を、予め準備された第１絶縁体１１０の主面に、塗工してもよい。その後、塗工材料は乾燥されてもよい。さらに、塗工材料は、乾燥後にプレスされてもよい。これにより、各対極層における材料の密度を高めることができる。
【０４４２】
集電体形成工程Ｓ１２００が実行されることで、図４６に示されるように、各電極層と各対極層との間に、各集電体が形成される。
【０４４３】
集電体形成部８４０は、例えば、予め準備された集電体となる部材（例えば、集電体板）を、所定の大きさに加工してもよい。その後、加工された集電体板を、各電極層と各対極層との間に、配置してもよい。
【０４４４】
折曲領域折曲工程Ｓ１３００が実行されることで、図４６に示されるように、各折曲領域が折り曲げられる。これにより、各電極層と各対極層とは、互いに対向して、配置される。さらに、各折曲領域が折り曲げられることで、各折曲部分が形成される。
【０４４５】
絶縁体折曲部８３０は、例えば、第１折曲用部材９１０と第２折曲用部材９２０と第３折曲用部材９３０（例えば、ロッド部材、ワイヤ部材、など）を備えてもよい。このとき、絶縁体折曲部８３０は、各折曲領域に各折曲用部材を当てて、第１絶縁体１１０と折曲用部材とのうちの少なくとも一方を移動させることで、各折曲領域を折り曲げてもよい。
【０４４６】
以上の構成によれば、簡便な折り畳みプロセスで、バイポーラ構造の電極が積層された積層電池を作製できる。すなわち、各発電要素が直列に積層された積層電池を、簡便な工程により、作製することができる。これにより、個別に分離された複数のバイポーラ構造の電極を積層するプロセスを用いる場合と比較して、各構成部材の位置ずれを抑制しながら、簡便かつ低コストに、直列構造の積層電池を作製できる。
【０４４７】
以上の実施の形態５における電池製造方法の具体的な一例によれば、上述の実施の形態１における電池を作製することができる。
【０４４８】
以下に、実施の形態５における電池製造方法の具体的な別の一例が、説明される。
【０４４９】
図４７は、実施の形態５における第１絶縁体１１０の一例の概略構成を示す図である。
【０４５０】
図４７（ａ）は、実施の形態５における第１絶縁体１１０の一例の概略構成を示すｘ−ｚ図（４７Ａ断面図）である。
【０４５１】
図４７（ｂ）は、実施の形態５における第１絶縁体１１０の一例の概略構成を示すｘ−ｙ図（上面図）である。
【０４５２】
図４８は、集電体形成工程Ｓ１２００と折曲領域折曲工程Ｓ１３００の一例を示す図である。
【０４５３】
第１絶縁体準備工程Ｓ１１０１が実行されることで、図４７に示される第１絶縁体１１０に、図４８に示されるように、各電極層と各対極層とが形成される。このとき、各電極層と各対極層とは、第１絶縁体１１０の片面のみに、形成される。
【０４５４】
集電体形成工程Ｓ１２００が実行されることで、図４８に示されるように、各電極層と各対極層との間に、各集電体が形成される。
【０４５５】
折曲領域折曲工程Ｓ１３００が実行されることで、図４８に示されるように、各折曲領域が折り曲げられる。これにより、各電極層と各対極層とは、互いに対向して、配置される。さらに、各折曲領域が折り曲げられることで、各折曲部分が形成される。さらに、第１裏面領域４２１と第２裏面領域４２２とが、互いに対向して、かつ、互いに接触して、配置される。
【０４５６】
以上の構成によれば、簡便な片面成膜のプロセスで、バイポーラ構造の電極が積層された積層電池を作製できる。すなわち、各発電要素が直列に積層された積層電池を、簡便な工程により、作製することができる。これにより、個別に分離された複数のバイポーラ構造の電極を積層するプロセスを用いる場合と比較して、各構成部材の位置ずれを抑制しながら、簡便かつ低コストに、直列構造の積層電池を作製できる。
【０４５７】
以上の実施の形態５における電池製造方法の具体的な一例によれば、上述の実施の形態３における電池を作製することができる。
【０４５８】
図４９は、実施の形態５における電池製造装置５１００の概略構成を示す図である。
【０４５９】
実施の形態５における電池製造装置５１００は、上述の実施の形態５における電池製造装置５０００の構成に加えて、下記の構成をさらに備える。
【０４６０】
すなわち、実施の形態５における電池製造装置５１００は、積層部８５０を備える。
【０４６１】
積層部８５０は、各絶縁体どうしを積層する。各絶縁体の積層位置は、上述の実施の形態２または４において説明された位置である。
【０４６２】
図５０は、実施の形態５における電池製造方法の一例を示すフローチャートである。
【０４６３】
図５０に示される電池製造方法は、上述の図４４に示される電池製造方法の工程に加えて、下記の工程をさらに備える。
【０４６４】
すなわち、図５０に示される電池製造方法は、第２絶縁体準備工程Ｓ１１０２と、積層工程Ｓ２０００と、をさらに包含する。
【０４６５】
第２絶縁体準備工程Ｓ１１０２は、電極層形成部８１０と対極層形成部８２０とにより、第２絶縁体１２０に、各電極層と各対極層を形成する工程である。なお、各電極層と各対極層の形成方法は、第１絶縁体準備工程Ｓ１１０１における形成方法と、同じであってもよい。
【０４６６】
積層工程Ｓ２０００は、積層部８５０により、第１絶縁体１１０と第２絶縁体１２０とを積層する工程である。
【０４６７】
図５１は、積層工程Ｓ２０００と折曲領域折曲工程Ｓ１３００の一例を示すｘ−ｙ図（上面図）である。
【０４６８】
上述の図５０に示される電池製造方法が実施されることにより、第１絶縁体１１０と第２絶縁体１２０とが積層される。例えば、図５１の（ａ）と（ｂ）に示されるように、第１絶縁体１１０と第２絶縁体１２０とが直交するように配置されて積層される。その後、図５１の（ｃ）〜（ｊ）に示されるように、第１絶縁体１１０と第２絶縁体１２０の各折曲部分が、交互に、折り畳まれる。
【０４６９】
以上の実施の形態５における電池製造方法によれば、上述の実施の形態２における電池を作製することができる。
【０４７０】
なお、図５１に示されるように、各部材の形状（および、電極層と対極層と電解質部分の形成範囲）は、正方形であってもよい。
【０４７１】
図５２は、第１絶縁体１１０と第２絶縁体１２０の積層の一例を示すｘ−ｙ図（上面図）である。
【０４７２】
図５２に示されるように、各部材の形状（および、電極層と対極層と電解質部分の形成範囲）は、長方形であってもよい。このように、各部材の形状を正方形ではない形状（例えば、長方形などの矩形）とすることで、これらが積層されて成る積層電池の形状を任意に設計できる。
【０４７３】
図５２（ａ）に示される第１絶縁体１１０と第２絶縁体１２０とは、図５２（ｂ）に示されるように、積層されてもよい。
【０４７４】
図５３は、実施の形態５における電池製造方法の一例を示すフローチャートである。
【０４７５】
図５３に示される電池製造方法は、上述の図５０に示される電池製造方法の工程に加えて、下記の工程をさらに備える。
【０４７６】
すなわち、図５３に示される電池製造方法は、第３絶縁体準備工程Ｓ１１０３と、第４絶縁体準備工程Ｓ１１０４と、をさらに包含する。
【０４７７】
第３絶縁体準備工程Ｓ１１０３は、電極層形成部８１０と対極層形成部８２０とにより、第３絶縁体１３０に、各電極層と各対極層を形成する工程である。なお、各電極層と各対極層の形成方法は、第１絶縁体準備工程Ｓ１１０１における形成方法と、同じであってもよい。
【０４７８】
第４絶縁体準備工程Ｓ１１０４は、電極層形成部８１０と対極層形成部８２０とにより、第４絶縁体１４０に、各電極層と各対極層を形成する工程である。なお、各電極層と各対極層の形成方法は、第１絶縁体準備工程Ｓ１１０１における形成方法と、同じであってもよい。
【０４７９】
このとき、積層工程Ｓ２０００においては、積層部８５０により、第１絶縁体１１０と第２絶縁体１２０と第３絶縁体１３０と第４絶縁体１４０とが積層される。
【０４８０】
以上の実施の形態５における電池製造方法によれば、上述の実施の形態４における電池を作製することができる。
【０４８１】
図５４は、実施の形態５における電池製造方法の一例を示すフローチャートである。
【０４８２】
図５４に示される電池製造方法は、上述の図５３に示される電池製造方法と、下記の点で異なる。
【０４８３】
すなわち、図５４に示される電池製造方法においては、積層工程Ｓ２０００は、折曲領域折曲工程Ｓ１３００の後に、実行される。
【０４８４】
図５５は、積層工程Ｓ２０００の一例を示す図である。
【０４８５】
図５５に示されるように、２個の櫛形構造の電極ストリップ（第１絶縁体１１０および第２絶縁体１２０）を図５５（ａ）に示される上下関係で、かつ、例えば、１８０度ずらした向き（もしくは、９０度ずらした向き）で、互いに差し込んでもよい。これにより、図５５（ｂ）に示される積層構造が得られる。差し込みのための各集電体の移動は、例えば、上述の折曲用部材（例えば、ロッド部材、ワイヤ部材、など）を用いて、実現されてもよい。それぞれ個別の部材である２個の電極ストリップを用いることにより、１つの電極ストリップあたりのバイポーラ電極の必要数を減らすことができる。これにより、製造プロセスをより容易にできる。また、積層電池の強度を向上できる。例えば、積層電池の側面からの機械的衝撃に対する強度を、より向上させることができる。
【０４８６】
以上の構成によれば、簡便な折り畳みプロセスと積層プロセス（差し込みプロセス）により、バイポーラ構造の電極が積層された積層電池を作製できる。すなわち、長い電極ストリップを直交させて交互に折り畳む方法と比較して、差し込みプロセスを用いることで、プロセスタクトを短くできる。このため、プロセスタクトを短くするための高速の折り畳みが不要にできる。これにより、高速の折り畳み時の折り畳み位置ずれを抑制できる。また、折り畳み対象の電池部材の損傷を抑制できる。
【０４８７】
図５６は、実施の形態５における電池製造装置５２００の概略構成を示す図である。
【０４８８】
実施の形態５における電池製造装置５２００は、上述の実施の形態５における電池製造装置５１００の構成に加えて、下記の構成をさらに備える。
【０４８９】
すなわち、実施の形態５における電池製造装置５２００は、折曲部分加工部８６０を備える。折曲部分加工部８６０は、各折曲部分を加工する。
【０４９０】
折曲部分加工部８６０は、例えば、張出部分形成用部材（例えば、プレス板、ローラー、など）を備えてもよい。このとき、折曲部分加工部８６０は、各折曲部分に張出部分形成用部材を押し当てることで、各張出部分を形成してもよい。例えば、折曲部分加工部８６０は、各張出部分を互いに接触させることで、複数の絶縁部分を壁状に一体化してもよい。これにより、複数の折曲部分を壁状に一体化することができる。このため、複数の発電要素が直列接続された構造を、より強固に保持することができる。
【０４９１】
もしくは、折曲部分加工部８６０は、例えば、各折曲部分を収縮させてもよい。これにより、折曲部分を収縮させることで、折曲部分による電池の構成部材の間の接合を、より強固にすることができる。
【０４９２】
図５７は、折曲部分の収縮の一例を示す図である。
【０４９３】
折曲部分加工部８６０は、例えば、折曲部分収縮用部材（例えば、加熱装置、など）を備えてもよい。また、各折曲部分は、熱収縮材料を含んでいてもよい。このとき、折曲部分加工部８６０は、加熱装置により、図５７（ａ）に示される各折曲部分を加熱して、熱収縮材料を収縮させてもよい。これにより、各折曲部分は、図５７（ｂ）に示されるように、熱収縮されてもよい。
【０４９４】
もしくは、折曲部分加工部８６０は、例えば、折曲部分を除去してもよい。これにより、電池の体積エネルギー密度および重量エネルギー密度を、より向上させることができる。
【０４９５】
図５８は、折曲部分の除去の一例を示す図である。
【０４９６】
折曲部分加工部８６０は、例えば、各折曲部分の折曲工程の後などにおいて、各折曲部分の一部（または、全ての折曲部分）を、除去（例えば、切断）してもよい。例えば、図５８（ａ）に示される折曲部分の一部を切断することで、図５８（ｂ）に示される構成が作製される。
【０４９７】
なお、実施の形態５においては、電極層形成部８１０と対極層形成部８２０は、それぞれ、例えば、塗工材料（例えば、電極材料、対極材料、など）を吐出する吐出機構（例えば、吐出口）、吐出機構に塗工材料を供給する供給機構（例えば、タンクおよび供給管）、塗工対象などを移動させる移動機構（例えば、ローラー）、加圧圧迫するプレス機構（例えば、プレス台およびシリンダ）、など、を備えてもよい。これらの機構については、一般に公知の装置および部材が、適宜、用いられうる。
【０４９８】
なお、実施の形態５においては、絶縁体折曲部８３０は、例えば、折曲対象を折り曲げる折曲機構（例えば、ロッド部材、ワイヤ部材、など）、折曲対象などを移動させる移動機構（例えば、ローラー）、など、を備えてもよい。これらの機構については、一般に公知の装置および部材が、適宜、用いられうる。
【０４９９】
なお、実施の形態５においては、集電体形成部８４０は、例えば、集電体を移動させる移動機構（例えば、ローラー）、集電体の位置を調整する調整機構、など、を備えてもよい。これらの機構については、一般に公知の装置および部材が、適宜、用いられうる。
【０５００】
なお、実施の形態５においては、積層部８５０は、例えば、積層対象（例えば、絶縁体）などを移動させる移動機構（例えば、ローラー）、積層対象の位置を調整する調整機構、など、を備えてもよい。これらの機構については、一般に公知の装置および部材が、適宜、用いられうる。
【０５０１】
なお、実施の形態５における電池製造装置は、制御部８００を、さらに備えてもよい。制御部８００は、電極層形成部８１０と対極層形成部８２０と絶縁体折曲部８３０と集電体形成部８４０と積層部８５０と折曲部分加工部８６０の動作を制御する。
【０５０２】
制御部８００は、例えば、プロセッサとメモリとにより、構成されてもよい。当該プロセッサは、例えば、ＣＰＵ（Ｃｅｎｔｒａｌ  Ｐｒｏｃｅｓｓｉｎｇ  Ｕｎｉｔ）またはＭＰＵ（Ｍｉｃｒｏ−Ｐｒｏｃｅｓｓｉｎｇ  Ｕｎｉｔ）などであってもよい。このとき、当該プロセッサは、メモリに記憶されているプログラムを読み出して実行することで、本開示で示される制御方法（電池製造方法）を実行してもよい。
【０５０３】
なお、実施の形態５における電池製造方法においては、電極層と対極層と電解質部分とは、塗工工法だけでなく、他の工法（例えば、順次積層、貼り合わせ、転写、など）、または、塗工工法と他の工法との組合せ工法、などにより、形成されてもよい。
【０５０４】
なお、実施の形態５における電池製造方法においては、各絶縁部分の折曲工程の後などにおいて、プレス機などにより、各発電要素を加圧プレスしてもよい。これにより、高充填密度化および密着性の強化が実現できる。すなわち、各層の積層方向において、加圧圧迫することにより、各層が緻密となり、かつ、互いに良好な接合状態とすることができる。また、積層加圧を実施する場合は、各層の面積と厚みが均一であってもよい。これにより、各層にかかる圧力が一定となり、緻密に充填されつつ、かつ、均一に密着することが可能となる。本開示の電池であれば、各層の厚みと面積とが実質的に均一とすることができる。このため、各単位電池の電池特性を均一にすることができる。これにより、安定的に高容量化された直列型の積層電池を実現できる。
【産業上の利用可能性】
【０５０５】
本開示の電池は、電子機器、電気器具装置、電気車両、など、の電池（例えば、全固体二次電池）として、利用されうる。
【符号の説明】
【０５０６】
１１０    第１絶縁体
１２０    第２絶縁体
１３０    第３絶縁体
１４０    第４絶縁体
２１０    第１折曲部分
２２０    第２折曲部分
２３０    第３折曲部分
２４０    第４折曲部分
２５０    第５折曲部分
２６０    第６折曲部分
２７０    第７折曲部分
２８０    第８折曲部分
２１１    第１張出部分
２２１，２２２    第２張出部分
２３１    第３張出部分
２４１，２４２    第４張出部分
２５１，２５２    第５張出部分
２６１    第６張出部分
３０１    第１電解質部分
３０２    第２電解質部分
３０３    第３電解質部分
３０４    第４電解質部分
３０５    第５電解質部分
３０６    第６電解質部分
３０７    第７電解質部分
３０８    第８電解質部分
３０９    第９電解質部分
３１０    第１０電解質部分
３１１    第１１電解質部分
３１２    第１２電解質部分
４１１    第１表面領域
４１２    第２表面領域
４１３    第３表面領域
４１４    第４表面領域
４１５    第５表面領域
４１６    第６表面領域
４１７    第７表面領域
４１８    第８表面領域
４２１    第１裏面領域
４２２    第２裏面領域
４２３    第３裏面領域
４２４    第４裏面領域
４２５    第５裏面領域
４２６    第６裏面領域
４２７    第７裏面領域
４２８    第８裏面領域
５０１    第１発電要素
５０２    第２発電要素
５０３    第３発電要素
５０４    第４発電要素
５０５    第５発電要素
５０６    第６発電要素
５１１    第１電極層
５１２    第２電極層
５１３    第３電極層
５１４    第４電極層
５１５    第５電極層
５１６    第６電極層
５１７    第７電極層
５２１    第１対極層
５２２    第２対極層
５２３    第３対極層
５２４    第４対極層
５２５    第５対極層
５２６    第６対極層
５２７    第７対極層
６１０    第１集電体
６２０    第２集電体
６３０    第３集電体
６４０    第４集電体
６５０    第５集電体
６６０    第６集電体
６７０    第７集電体
７１０    第１折曲領域
７２０    第２折曲領域
７３０    第３折曲領域
７４０    第４折曲領域
７５０    第５折曲領域
７６０    第６折曲領域
７７０    第７折曲領域
７８０    第８折曲領域
１０００，１１００，１２００，１３００，１４００，１５００，２０００，２１００，２２００，２３００，２４００，２４１０，２５００，２５１０，２６００，２６１０，３０００，３１００，３２００，３３００，４０００，４１００，４２００    電池
８００    制御部
８１０    電極層形成部
８２０    対極層形成部
８３０    絶縁体折曲部
８４０    集電体形成部
８５０    積層部
８６０    折曲部分加工部
５０００，５１００，５２００    電池製造装置
【図１】
2019021621.tif 000003
【図２】
2019021621.tif 000004
【図３】
2019021621.tif 000005
【図４】
2019021621.tif 000006
【図５】
2019021621.tif 000007
【図６】
2019021621.tif 000008
【図７】
2019021621.tif 000009
【図８】
2019021621.tif 000010
【図９】
2019021621.tif 000011
【図１０】
2019021621.tif 000012
【図１１】
2019021621.tif 000013
【図１２】
2019021621.tif 000014
【図１３】
2019021621.tif 000015
【図１４】
2019021621.tif 000016
【図１５】
2019021621.tif 000017
【図１６】
2019021621.tif 000018
【図１７】
2019021621.tif 000019
【図１８】
2019021621.tif 000020
【図１９】
2019021621.tif 000021
【図２０】
2019021621.tif 000022
【図２１】
2019021621.tif 000023
【図２２】
2019021621.tif 000024
【図２３】
2019021621.tif 000025
【図２４】
2019021621.tif 000026
【図２５】
2019021621.tif 000027
【図２６】
2019021621.tif 000028
【図２７】
2019021621.tif 000029
【図２８】
2019021621.tif 000030
【図２９】
2019021621.tif 000031
【図３０】
2019021621.tif 000032
【図３１】
2019021621.tif 000033
【図３２】
2019021621.tif 000034
【図３３】
2019021621.tif 000035
【図３４】
2019021621.tif 000036
【図３５】
2019021621.tif 000037
【図３６】
2019021621.tif 000038
【図３７】
2019021621.tif 000039
【図３８】
2019021621.tif 000040
【図３９】
2019021621.tif 000041
【図４０】
2019021621.tif 000042
【図４１】
2019021621.tif 000043
【図４２】
2019021621.tif 000044
【図４３】
2019021621.tif 000045
【図４４】
2019021621.tif 000046
【図４５】
2019021621.tif 000047
【図４６】
2019021621.tif 000048
【図４７】
2019021621.tif 000049
【図４８】
2019021621.tif 000050
【図４９】
2019021621.tif 000051
【図５０】
2019021621.tif 000052
【図５１】
2019021621.tif 000053
【図５２】
2019021621.tif 000054
【図５３】
2019021621.tif 000055
【図５４】
2019021621.tif 000056
【図５５】
2019021621.tif 000057
【図５６】
2019021621.tif 000058
【図５７】
2019021621.tif 000059
【図５８】
2019021621.tif 000060